(57)【要約】【課題】無線通信を利用して所定のネットワークに接続するための接続権を複数の無線通信装置間において適切に共有する。【解決手段】情報処理装置は、無線通信を利用して所定のネットワークに接続するための接続権を共有する複数の無線通信装置についてユーザ操作または所定規則に基づいて優先度を設定する設定部を具備する。また、複数の無線通信装置間において無線通信を利用して接続権の移転を行う場合に、その移転の対象となる各無線通信装置に設定されている優先度に基づいてその移転が行われる。【選択図】図３
2013081051.tif 000002
【特許請求の範囲】
【請求項１】
無線通信を利用して所定のネットワークに接続するための接続権を共有する複数の無線通信装置についてユーザ操作または所定規則に基づいて優先度を設定する設定部を具備し、
前記複数の無線通信装置間において無線通信を利用して前記接続権の移転を行う場合に当該移転の対象となる各無線通信装置に設定されている優先度に基づいて当該移転が行われる
情報処理装置。
【請求項２】
前記情報処理装置は、前記複数の無線通信装置をグループとして管理する情報処理装置であり、
前記複数の無線通信装置間において前記接続権を移転するための移転要求を受け付けた場合には、当該移転要求に係る各無線通信装置に設定されている優先度に基づいて当該各無線通信装置間において前記接続権を移転させるための制御を行う制御部をさらに具備する
請求項１記載の情報処理装置。
【請求項３】
前記設定部は、前記複数の無線通信装置を構成する第１の無線通信装置および第２の無線通信装置について前記第１の無線通信装置に設定される優先度よりも低い優先度を前記第２の無線通信装置に設定し、
前記制御部は、前記第１の無線通信装置から前記第２の無線通信装置に前記接続権を移転するための前記移転要求を前記第１の無線通信装置以外の無線通信装置から受け付けた場合には、所定条件を満たす場合にのみ、前記第１の無線通信装置から前記第２の無線通信装置に前記接続権を移転させるための制御を行う
請求項２記載の情報処理装置。
【請求項４】
前記制御部は、前記第１の無線通信装置から前記第２の無線通信装置に前記接続権を移転するための前記移転要求に係る移転の承認処理が前記第１の無線通信装置において行われた場合に前記所定条件を満たすと判断する請求項３記載の情報処理装置。
【請求項５】
前記設定部は、前記複数の無線通信装置を構成する第１の無線通信装置および第２の無線通信装置について前記第１の無線通信装置に設定される優先度よりも低い優先度を前記第２の無線通信装置に設定し、
前記制御部は、前記第２の無線通信装置から前記第１の無線通信装置に前記接続権を移転するための前記移転要求を受け付けた場合には、前記第２の無線通信装置から前記第１の無線通信装置に前記接続権を移転させるための制御を行う
請求項２記載の情報処理装置。
【請求項６】
前記制御部は、前記第２の無線通信装置から前記第１の無線通信装置に前記接続権を移転するための前記移転要求を前記第２の無線通信装置以外の無線通信装置から受け付けた場合には、所定条件を満たす場合にのみ、前記第２の無線通信装置から前記第１の無線通信装置に前記接続権を移転させるための制御を行う
請求項５記載の情報処理装置。
【請求項７】
前記制御部は、前記第２の無線通信装置から前記第１の無線通信装置に前記接続権を移転するための前記移転要求に係る移転の承認処理が前記第２の無線通信装置において行われた場合と、当該移転要求に係る移転の承認処理が前記第２の無線通信装置において行われず、かつ、当該移転要求に係る移転の承認処理が前記第１の無線通信装置において行われた場合とに前記所定条件を満たすと判断する請求項６記載の情報処理装置。
【請求項８】
前記設定部は、前記複数の無線通信装置を構成する第１の無線通信装置および第２の無線通信装置について前記第１の無線通信装置に設定される優先度よりも低い優先度を前記第２の無線通信装置に設定し、
前記制御部は、前記第１の無線通信装置から前記第２の無線通信装置に前記接続権を移転するための前記移転要求を前記第１の無線通信装置から受け付けた場合には、前記第１の無線通信装置から前記第２の無線通信装置に前記接続権を移転させるための制御を行う
請求項２記載の情報処理装置。
【請求項９】
前記設定部は、前記複数の無線通信装置毎の優先順位を前記優先度として設定する請求項１記載の情報処理装置。
【請求項１０】
前記情報処理装置は、前記複数の無線通信装置をグループとして管理する情報処理装置であり、
前記複数の無線通信装置と前記設定された優先度とを前記無線通信装置毎に関連付けて前記グループ単位で記憶する記憶部をさらに具備する
請求項１記載の情報処理装置。
【請求項１１】
前記情報処理装置は、前記無線通信装置であり、
前記複数の無線通信装置間において前記接続権を移転するための前記移転要求をＲＯ（Registration Operator）に対して行う制御部をさらに具備する
請求項１記載の情報処理装置。
【請求項１２】
前記接続権は、通信事業者が運営する基地局に接続するための契約認証情報に基づいて前記基地局に接続する権利である請求項１記載の情報処理装置。
【請求項１３】
無線通信を利用して所定のネットワークに接続するための接続権を共有する複数の無線通信装置についてユーザ操作または所定規則に基づいて優先度を設定する情報処理装置を具備し、
前記複数の無線通信装置間において無線通信を利用して前記接続権の移転を行う場合に当該移転の対象となる各無線通信装置に設定されている優先度に基づいて当該移転が行われる
通信システム。
【請求項１４】
無線通信を利用して所定のネットワークに接続するための接続権を共有する複数の無線通信装置間において無線通信を利用して前記接続権の移転を行うための移転要求を受け付ける受付手順と、
前記移転要求が受け付けられた場合に当該移転要求に係る移転の対象となる各無線通信装置に設定されている優先度に基づいて当該移転を行う制御手順と
を具備する情報処理方法。
【発明の詳細な説明】
【技術分野】
【０００１】
本技術は、情報処理装置に関する。詳しくは、ネットワークに接続する情報処理装置、これを備える通信システムおよび情報処理方法に関する。
【背景技術】
【０００２】
現在、公衆無線通信ネットワークの技術仕様を策定している３ＧＰＰ（3rd Generation Partnership Project）において機能拡張が検討されている（例えば、非特許文献１参照。）。
【０００３】
この機能拡張（Machine to Machine Equipmentと称される）によれば、サービス利用可能であることを示す情報について柔軟な使い方が可能になる。このサービス利用可能であることを示す情報は、ＭＣＩＭ（Machine Communication Identity Module）である。例えば、ＭＣＩＭをネットワークからダウンロードしたり、一時的に停止したり、再開することができるようになる。
【０００４】
また、現在、このＭＣＩＭに相当する情報は、ＳＩＭ（Subscriber Identity Module）カードと呼ばれる物理デバイスに保存する必要がある。しかしながら、ＭＣＩＭをソフトウェアとして扱うことにより、保存方法も柔軟にすることができるようになる。
【先行技術文献】
【非特許文献】
【０００５】
【非特許文献１】3GPP TR 33.812 V9.2.0（2010-06）
【発明の概要】
【発明が解決しようとする課題】
【０００６】
上述の機能拡張を利用することにより、従来とは異なるＭＣＩＭの使用方法が考えられるようになる。
【０００７】
例えば、複数の無線通信装置間においてＭＣＩＭを共有することが想定される。ただし、このようにＭＣＩＭを共有する場合でも、ＭＣＩＭが設定されていない無線通信装置は、ＭＣＩＭに基づく通信機能を使用することができない。このため、例えば、ユーザが意図しない無線通信装置にＭＣＩＭが設定されることを防止して、複数の無線通信装置間においてＭＣＩＭを適切に共有することが重要である。
【０００８】
本技術はこのような状況に鑑みて生み出されたものであり、無線通信を利用して所定のネットワークに接続するための接続権を複数の無線通信装置間において適切に共有することを目的とする。
【課題を解決するための手段】
【０００９】
本技術は、上述の問題点を解消するためになされたものであり、その第１の側面は、無線通信を利用して所定のネットワークに接続するための接続権を共有する複数の無線通信装置についてユーザ操作または所定規則に基づいて優先度を設定する設定部を具備し、上記複数の無線通信装置間において無線通信を利用して上記接続権の移転を行う場合に当該移転の対象となる各無線通信装置に設定されている優先度に基づいて当該移転が行われる情報処理装置およびその情報処理方法ならびに当該方法をコンピュータに実行させるプログラムである。これにより、複数の無線通信装置間において無線通信を利用して接続権の移転を行う場合に、その移転の対象となる各無線通信装置に設定されている優先度に基づいて、その移転が行われるという作用をもたらす。
【００１０】
また、この第１の側面において、上記情報処理装置は、上記複数の無線通信装置をグループとして管理する情報処理装置であり、上記複数の無線通信装置間において上記接続権を移転するための移転要求を受け付けた場合には、当該移転要求に係る各無線通信装置に設定されている優先度に基づいて当該各無線通信装置間において上記接続権を移転させるための制御を行う制御部をさらに具備するようにしてもよい。これにより、複数の無線通信装置間において接続権を移転するための移転要求を受け付けた場合には、その移転要求に係る各無線通信装置に設定されている優先度に基づいてその各無線通信装置間において接続権を移転させるという作用をもたらす。
【００１１】
また、この第１の側面において、上記設定部は、上記複数の無線通信装置を構成する第１の無線通信装置および第２の無線通信装置について上記第１の無線通信装置に設定される優先度よりも低い優先度を上記第２の無線通信装置に設定し、上記制御部は、上記第１の無線通信装置から上記第２の無線通信装置に上記接続権を移転するための上記移転要求を上記第１の無線通信装置以外の無線通信装置から受け付けた場合には、所定条件を満たす場合にのみ、上記第１の無線通信装置から上記第２の無線通信装置に上記接続権を移転させるための制御を行うようにしてもよい。これにより、第１の無線通信装置から第２の無線通信装置に接続権を移転するための移転要求を第１の無線通信装置以外の無線通信装置から受け付けた場合には、所定条件を満たす場合にのみ、第１の無線通信装置から第２の無線通信装置に接続権を移転させるという作用をもたらす。
【００１２】
また、この第１の側面において、上記制御部は、上記第１の無線通信装置から上記第２の無線通信装置に上記接続権を移転するための上記移転要求に係る移転の承認処理が上記第１の無線通信装置において行われた場合に上記所定条件を満たすと判断するようにしてもよい。これにより、第１の無線通信装置から第２の無線通信装置に接続権を移転するための移転要求に係る移転の承認処理が第１の無線通信装置において行われた場合に所定条件を満たすと判断するという作用をもたらす。
【００１３】
また、この第１の側面において、上記設定部は、上記複数の無線通信装置を構成する第１の無線通信装置および第２の無線通信装置について上記第１の無線通信装置に設定される優先度よりも低い優先度を上記第２の無線通信装置に設定し、上記制御部は、上記第２の無線通信装置から上記第１の無線通信装置に上記接続権を移転するための上記移転要求を受け付けた場合には、上記第２の無線通信装置から上記第１の無線通信装置に上記接続権を移転させるための制御を行うようにしてもよい。これにより、第２の無線通信装置から第１の無線通信装置に接続権を移転するための移転要求を受け付けた場合には、第２の無線通信装置から第１の無線通信装置に接続権を移転させるという作用をもたらす。
【００１４】
また、この第１の側面において、上記制御部は、上記第２の無線通信装置から上記第１の無線通信装置に上記接続権を移転するための上記移転要求を上記第２の無線通信装置以外の無線通信装置から受け付けた場合には、所定条件を満たす場合にのみ、上記第２の無線通信装置から上記第１の無線通信装置に上記接続権を移転させるための制御を行うようにしてもよい。これにより、第２の無線通信装置から第１の無線通信装置に接続権を移転するための移転要求を第２の無線通信装置以外の無線通信装置から受け付けた場合には、所定条件を満たす場合にのみ、第２の無線通信装置から第１の無線通信装置に接続権を移転させるという作用をもたらす。
【００１５】
また、この第１の側面において、上記制御部は、上記第２の無線通信装置から上記第１の無線通信装置に上記接続権を移転するための上記移転要求に係る移転の承認処理が上記第２の無線通信装置において行われた場合と、当該移転要求に係る移転の承認処理が上記第２の無線通信装置において行われず、かつ、当該移転要求に係る移転の承認処理が上記第１の無線通信装置において行われた場合とに上記所定条件を満たすと判断するようにしてもよい。これにより、第２の無線通信装置から第１の無線通信装置に接続権を移転するための移転要求に係る移転の承認処理が第２の無線通信装置において行われた場合と、その移転要求に係る移転の承認処理が第２の無線通信装置において行われず、かつ、その移転要求に係る移転の承認処理が第１の無線通信装置において行われた場合とに所定条件を満たすと判断するという作用をもたらす。
【００１６】
また、この第１の側面において、上記設定部は、上記複数の無線通信装置を構成する第１の無線通信装置および第２の無線通信装置について上記第１の無線通信装置に設定される優先度よりも低い優先度を上記第２の無線通信装置に設定し、上記制御部は、上記第１の無線通信装置から上記第２の無線通信装置に上記接続権を移転するための上記移転要求を上記第１の無線通信装置から受け付けた場合には、上記第１の無線通信装置から上記第２の無線通信装置に上記接続権を移転させるための制御を行うようにしてもよい。これにより、第１の無線通信装置から第２の無線通信装置に接続権を移転するための移転要求を第１の無線通信装置から受け付けた場合には、第１の無線通信装置から第２の無線通信装置に接続権を移転させるという作用をもたらす。
【００１７】
また、この第１の側面において、上記設定部は、上記複数の無線通信装置毎の優先順位を上記優先度として設定するようにしてもよい。これにより、複数の無線通信装置毎の優先順位を優先度として設定するという作用をもたらす。
【００１８】
また、この第１の側面において、上記情報処理装置は、上記複数の無線通信装置をグループとして管理する情報処理装置であり、上記複数の無線通信装置と上記設定された優先度とを上記無線通信装置毎に関連付けて上記グループ単位で記憶する記憶部をさらに具備するようにしてもよい。これにより、複数の無線通信装置と設定された優先度とを無線通信装置毎に関連付けてグループ単位で記憶する記憶部を用いるという作用をもたらす。
【００１９】
また、この第１の側面において、上記情報処理装置は、上記無線通信装置であり、上記複数の無線通信装置間において上記接続権を移転するための上記移転要求をＲＯ（Registration Operator）に対して行う制御部をさらに具備するようにしてもよい。これにより、複数の無線通信装置間において接続権を移転するための移転要求をＲＯに対して行うという作用をもたらす。
【００２０】
また、この第１の側面において、上記接続権を、通信事業者が運営する基地局に接続するための契約認証情報に基づいて上記基地局に接続する権利とするようにしてもよい。これにより、通信事業者が運営する基地局に接続するための契約認証情報に基づいて基地局に接続する権利を接続権として用いるという作用をもたらす。
【００２１】
また、本技術の第２の側面は、無線通信を利用して所定のネットワークに接続するための接続権を共有する複数の無線通信装置についてユーザ操作または所定規則に基づいて優先度を設定する情報処理装置を具備し、上記複数の無線通信装置間において無線通信を利用して上記接続権の移転を行う場合に当該移転の対象となる各無線通信装置に設定されている優先度に基づいて当該移転が行われる通信システムおよびその処理方法ならびに当該方法をコンピュータに実行させるプログラムである。これにより、複数の無線通信装置間において無線通信を利用して接続権の移転を行う場合に、その移転の対象となる各無線通信装置に設定されている優先度に基づいて、その移転が行われるという作用をもたらす。
【発明の効果】
【００２２】
本技術によれば、無線通信を利用して所定のネットワークに接続するための接続権を複数の無線通信装置間において適切に共有することができるという優れた効果を奏し得る。
【図面の簡単な説明】
【００２３】
【図１】本技術の第１の実施の形態における複数の無線通信装置（デバイス）の使用例を簡略化して示す図である。
【図２】本技術の第１の実施の形態における通信システム１０のシステム構成例を示すブロック図である。
【図３】本技術の第１の実施の形態における通信システム１００のシステム構成例を示すブロック図である。
【図４】本技術の第１の実施の形態におけるグループ管理データベース２２０を模式的に示す図である。
【図５】本技術の第１の実施の形態における第１の無線通信装置３００の内部構成例を示すブロック図である。
【図６】本技術の第１の実施の形態における第１の無線通信装置３００の表示部３７０に表示される表示画面例（優先順位設定画面４００）を示す図である。
【図７】本技術の第１の実施の形態における第１の無線通信装置３００の表示部３７０に表示される表示画面例（移転先設定画面４１０）を示す図である。
【図８】本技術の第１の実施の形態における各無線通信装置間におけるＭＣＩＭの使用権の移転に関する判断基準の一例を示す図である。
【図９】本技術の第１の実施の形態における無線通信装置の表示部３７０に表示される表示画面例（移転結果通知画面４３０、４３３）を示す図である。
【図１０】本技術の第１の実施の形態における無線通信装置の表示部３７０に表示される表示画面例（移転不可通知画面４３６）を示す図である。
【図１１】本技術の第１の実施の形態における通信システム１００を構成する各装置間における通信処理例を示すシーケンスチャートである。
【図１２】本技術の第１の実施の形態における通信システム１００を構成する各装置間における通信処理例を示すシーケンスチャートである。
【図１３】本技術の第１の実施の形態における通信システム１００を構成する各装置間における通信処理例を示すシーケンスチャートである。
【図１４】本技術の第１の実施の形態における通信システム１００を構成する各装置間における通信処理例を示すシーケンスチャートである。
【図１５】本技術の第１の実施の形態における通信システム１００を構成する各装置間における通信処理例を示すシーケンスチャートである。
【図１６】本技術の第１の実施の形態における通信制御装置（第１通信事業者）２００による通信処理の処理手順の一例を示すフローチャートである。
【図１７】本技術の第２の実施の形態における各無線通信装置間におけるＭＣＩＭの使用権の移転に関する判断基準の一例を示す図である。
【図１８】本技術の第２の実施の形態における無線通信装置の表示部３７０に表示される表示画面例（移転承認画面４５０）を示す図である。
【図１９】本技術の第２の実施の形態における通信システム１００を構成する各装置間における通信処理例を示すシーケンスチャートである。
【図２０】本技術の第２の実施の形態における通信システム１００を構成する各装置間における通信処理例を示すシーケンスチャートである。
【図２１】本技術の第２の実施の形態における通信制御装置（第１通信事業者）２００による通信処理の処理手順の一例を示すフローチャートである。
【図２２】本技術の第３の実施の形態における各無線通信装置間におけるＭＣＩＭの使用権の移転に関する判断基準の一例を示す図である。
【図２３】本技術の第３の実施の形態における通信システム１００を構成する各装置間における通信処理例を示すシーケンスチャートである。
【図２４】本技術の第３の実施の形態における通信システム１００を構成する各装置間における通信処理例を示すシーケンスチャートである。
【発明を実施するための形態】
【００２４】
以下、本技術を実施するための形態（以下、実施の形態と称する）について説明する。説明は以下の順序により行う。
１．第１の実施の形態（通信制御：各無線通信装置に設定されている優先順位に基づいてＭＣＩＭ（Machine Communication Identity Module）の使用権の移転処理を行う例）
２．第２の実施の形態（通信制御：優先順位が上位の無線通信装置における承認を考慮してＭＣＩＭの使用権の移転処理を行う例）
３．第３の実施の形態（通信制御：優先順位が下位の無線通信装置からの申立てを考慮してＭＣＩＭの使用権の移転処理を行う例）
【００２５】
＜１．第１の実施の形態＞
［無線通信装置の使用例］
図１は、本技術の第１の実施の形態における複数の無線通信装置（デバイス）の使用例を簡略化して示す図である。
【００２６】
図１（ａ）には、ユーザ６０が所有する４つの無線通信装置（第１の無線通信装置３００、第２の無線通信装置１３０、第３の無線通信装置１４０および第４の無線通信装置１５０）を示す。
【００２７】
第１の無線通信装置３００は、例えば、携帯電話装置（例えば、通話機能およびデータ通信機能を備えるスマートフォン）である。また、第２の無線通信装置１３０は、例えば、無線通信機能を備える撮像装置（例えば、デジタルスチルカメラ、デジタルビデオカメラ（カメラ一体型レコーダ））である。また、第３の無線通信装置１４０は、例えば、無線通信機能を備える音声出力装置（例えば、携帯型ミュージックプレーヤー）である。また、第４の無線通信装置１５０は、例えば、無線通信機能を備える表示装置（例えば、デジタルフォトフレーム）である。
【００２８】
なお、これらの無線通信装置は、ソフトウェアダウンローダブルＳＩＭ（Subscriber Identity Module）を利用することが可能な無線通信装置の一例である。また、ソフトウェアダウンローダブルＳＩＭを利用することが可能な他の無線通信装置（例えば、無線通信機能を備える電子書籍表示装置）についても適用することができる。また、例えば、無線通信機能を備える無線通信機器を装着することにより、無線通信を行うことが可能な情報処理装置（例えば、無線通信機能を備えていないパーソナルコンピュータ）についても適用することができる。なお、第１の無線通信装置３００、第２の無線通信装置１３０、第３の無線通信装置１４０および第４の無線通信装置１５０は、特許請求の範囲に記載の情報処理装置の一例である。
【００２９】
また、これらの４つの無線通信装置は、所定のネットワークに接続するための接続権を共有するグループ（グループ名：グループＡＢ）に属しているものとする。この接続権は、例えば、ＭＣＩＭ（Machine Communication Identity Module）の使用権として把握することができる。
【００３０】
ここで、ＭＣＩＭは、契約認証情報の一例であり、契約認証情報は、電話の加入者（Subscriber）情報と、認証鍵（Authentication）の情報とを含む情報である。ＭＣＩＭは、例えば、デバイス購入時には特定の通信事業者（例えば、携帯電話事業者）に限定されず、購入後に柔軟に通信事業者を設定することができる契約認証情報（いわゆる、ソフトＳＩＭ）である。また、ＭＣＩＭをネットワーク上から書き換え可能とすることにより、携帯電話機の販売と通信事業者選択とを分離し易くなり、さらに、複数の無線通信装置間で契約認証情報を容易に共有することができる。また、ＭＣＩＭの使用権を保持していない場合は、例えば、ＭＣＩＭ自体を保持していない場合、または、ＭＣＩＭの無効化処理により無効とされたＭＣＩＭのみを保持している場合を意味する。
【００３１】
図１（ｂ）には、第２の無線通信装置１３０を用いて写真撮影を行う場合を簡略化して示す。
【００３２】
ここで、例えば、第２の無線通信装置１３０（例えば、カメラ）は、インターネット等のネットワークに接続して通信処理を行うことが比較的少ないと想定される。このため、第２の無線通信装置１３０については、インターネット等のネットワークに常時接続しておく必要はない。例えば、運動会等のイベントにおいて写真撮影を行った場合に、その写真をコンテンツサーバ（図示せず）にアップロードするため、第２の無線通信装置１３０を、インターネット等のネットワークに接続することが想定される。
【００３３】
すなわち、第２の無線通信装置１３０（例えば、カメラ）のようなデバイスは、通常時には、限定接続状態としておき、必要に応じて、ＭＣＩＭの使用権を一時的に利用することにより、対応が可能であることが多い。また、第３の無線通信装置１４０、第４の無線通信装置１４０のようなデバイスについても同様であると考えられる。
【００３４】
このように、グループＡＢを構成する各無線通信装置をユーザ６０が操作することにより、グループＡＢに属する任意の無線通信装置にＭＣＩＭの使用権を割り当てることができる。しかしながら、ＭＣＩＭの使用権が割り当てられていない無線通信装置は、ＭＣＩＭに基づく通信機能を使用することができないため、動作上多くの制約が発生することが想定される。また、他の無線通信装置にＭＣＩＭの使用権を移転すると、特定の処理を継続して行うことができなくなる可能性がある。
【００３５】
例えば、ユーザ６０は、通常時には、第１の無線通信装置３００を使用することが多いため、ＭＣＩＭの使用権を第１の無線通信装置３００に保持させておくものとする。このため、他の無線通信装置において通信処理を行う場合には、ユーザ６０による手動操作によりＭＣＩＭの使用権を移転するものとする。
【００３６】
しかしながら、ユーザ６０による誤操作等により、ユーザ６０が意図せずに無線通信装置３００からＭＣＩＭの使用権が解除されたり、意図しない無線通信装置にＭＣＩＭの使用権が割り当てられたりすることも考えられる。
【００３７】
そこで、本技術の第１の実施の形態では、グループを構成する各無線通信装置に優先順位（優先度）を設定しておき、この優先順位を用いてＭＣＩＭの使用権を複数の無線通信装置間において適切に共有する例を示す。
【００３８】
［通信システムの構成例］
図２は、本技術の第１の実施の形態における通信システム１０のシステム構成例を示すブロック図である。図２では、ＳＨＯ（Selected Home Operator）およびＲＯ（Registration Operator）から構成されるネットワーク構成を前提とする場合における通信システムの構成例を示す（例えば、非特許文献１参照。）。
【００３９】
また、図２（ａ）には、第１の無線通信装置３００が有効なＭＣＩＭ（ＭＣＩＭの使用権）３０１を保持している場合における無線通信例を示す。また、図２（ｂ）には、第１の無線通信装置３００が有効なＭＣＩＭ（ＭＣＩＭの使用権）３０１を保持していない場合における無線通信例を示す。
【００４０】
通信システム１０は、ＲＯ２０と、ＳＨＯ３０と、基地局２１、３１と、ネットワーク４０と、情報処理装置５１と、第１の無線通信装置３００とを備える。
【００４１】
ここで、ＲＯ、ＳＨＯは、論理的な役割を示すものであり、異なる事業者により運営されることが想定されるが、同一の事業者により運営されることも想定される。また、ＲＯ、ＳＨＯは、それぞれ複数存在することも想定される。また、ＲＯ、ＳＨＯのそれぞれは、情報処理装置として一体として構成されるようにしてもよく、複数の装置により構成されるようにしてもよい。ここで、ＲＯ、ＳＨＯは、有効なＭＣＩＭを有する無線通信装置を基準とする場合における相対的な役割を意味するものである。このため、１つの無線通信装置についてＲＯに相当するものが、他の無線通信装置についてはＳＨＯに相当する可能性もある。
【００４２】
図２（ａ）に示すように、第１の無線通信装置３００が有効なＭＣＩＭ（ＭＣＩＭの使用権）３０１を保持している場合には、第１の無線通信装置３００は、ＭＣＩＭ３０１に基づいて、基地局３１を介してＳＨＯ３０と接続することが可能となる。これに対して、図２（ｂ）に示すように、第１の無線通信装置３００が有効なＭＣＩＭ（ＭＣＩＭの使用権）３０１を保持していない場合には、第１の無線通信装置３００は、ＳＨＯ３０と接続することができない。ただし、この場合には、第１の無線通信装置３００は、ＰＣＩＤ（Provisional Connectivity Identity）に基づいて、基地局２１を介してＲＯ２０と接続することが可能となる。
【００４３】
ここで、ＰＣＩＤは、ＲＯに接続するための識別子（例えば、図４に示すネットワーク上の端末識別情報２２５）であり、ソフトウェアダウンローダブルＳＩＭの仕組みを有する全ての無線通信装置（デバイス）に付与される。
【００４４】
ネットワーク４０は、電話網、インターネット等のネットワーク（例えば、公衆回線網）である。また、ネットワーク４０とＳＨＯ３０とは、ゲートウェイ（図示せず）を介して接続される。同様に、ネットワーク４０とＲＯ２０とは、ゲートウェイ（図示せず）を介して接続される。
【００４５】
ＲＯ２０は、初期接続登録等のサービスを提供する無線事業者により管理される通信制御装置である。ＲＯ２０は、例えば、無線接続サービスを提供する無線事業者（例えば、携帯電話事業者）に対応する。また、ＲＯ２０は、制御部（図示せず）を備える。
【００４６】
ＲＯ２０の制御部は、基地局２１を介して接続される無線通信装置の認証制御を行うものである。例えば、ＲＯ２０の制御部は、基地局２１を介して接続される無線通信装置について、ＰＣＩＤに基づく認証を行う。そして、ＲＯ２０は、認証された無線通信装置について、初期接続登録等のサービスを提供する。また、ＲＯ２０の制御部は、ＳＨＯ３０と接続され、ＳＨＯ３０との間で各種情報のやり取りを行う。
【００４７】
基地局２１は、無線回線を介して第１の無線通信装置３００およびＲＯ２０を接続する移動体通信基地局（ＮｏｄｅＢ）である。
【００４８】
ＳＨＯ３０は、無線接続サービスを提供する無線事業者により管理される通信制御装置である。ＳＨＯ３０は、インターネット・サービス等を提供するものであり、例えば、無線接続サービスを提供する無線事業者（例えば、携帯電話事業者）に対応する。また、ＳＨＯ３０は、制御部（図示せず）を備える。
【００４９】
ＳＨＯ３０の制御部は、基地局３１を介して接続される無線通信装置の認証制御を行うものである。例えば、ＳＨＯ３０の制御部は、基地局３１を介して接続される無線通信装置のうち、ＳＨＯ３０の有効なＭＣＩＭ（契約認証情報）を保持する無線通信装置を認証する。そして、ＳＨＯ３０は、認証された無線通信装置をゲートウェイ（図示せず）を介してネットワーク４０に接続する。
【００５０】
また、ＳＨＯ３０の制御部は、ＲＯ２０と接続され、ＲＯ２０との間で各種情報のやり取りを行う。ここで、有効なＭＣＩＭ（契約認証情報）を保持していない無線通信装置は、その無線通信装置のＰＣＩＤに基づいて、ＳＨＯ３０を介したＲＯ２０との接続（限定接続）が可能である。
【００５１】
基地局３１は、無線回線を介して第１の無線通信装置３００およびＳＨＯ３０を接続する移動体通信基地局（ＮｏｄｅＢ）である。
【００５２】
サービス提供会社５０は、コンテンツ保存サービス、コンテンツ配信サービス等の各種通信サービスを提供する会社（ＳＰ（Service Provider））であり、これらの通信サービスを提供するための情報処理装置５１を備える。また、情報処理装置５１は、ネットワーク４０を介してＲＯ２０およびＳＨＯ３０に接続される。ここで、各種通信サービスを行う事業者は、無線接続サービスを提供する通信事業者、ＭＶＮＯ（Mobile Virtual Network Operator）（いわゆる、仮想通信事業者と称される事業形態の事業者）等が想定される。
【００５３】
情報処理装置５１は、ネットワーク４０を介して各種通信サービスを提供する情報処理装置であり、無線通信を利用して第１の無線通信装置３００に各種通信サービスを提供する。例えば、情報処理装置５１は、Ｗｅｂサービス、データダウンロードサービス、データアップロードサービス、オンラインゲーム等の通信サービスを提供する。
【００５４】
例えば、図２（ａ）に示すように、第１の無線通信装置３００が有効なＭＣＩＭ３０１を保持する場合には、第１の無線通信装置３００は、ＭＣＩＭ３０１に基づいて、無線回線を介して基地局３１と接続され、基地局３１を介してＳＨＯ３０と接続される。この場合には、第１の無線通信装置３００は、基地局３１を介してＳＨＯ３０と接続され、情報処理装置５１からの各種サービスの提供（例えば、コンテンツのダウンロード）を受けることができる。また、有効なＭＣＩＭ３０１を保持する第１の無線通信装置３００がＲＯ２０と接続する場合には、ＳＨＯ３０を介してＲＯ２０と接続される。
【００５５】
また、図２（ｂ）に示すように、第１の無線通信装置３００が有効なＭＣＩＭ３０１を保持していない場合は、第１の無線通信装置３００は、保持されているＰＣＩＤに基づいて、基地局２１を介してＲＯ２０との接続（限定接続）が可能である。この場合には、第１の無線通信装置３００は、基地局２１を介してＲＯ２０と接続（限定接続）されるが、限定的な通信（例えば、ＭＣＩＭのダウンロード、ＭＣＩＭの有効化／無効化）のみを行うことができる。
【００５６】
なお、第１の無線通信装置３００が有効なＭＣＩＭ３０１を保持していない場合には、第１の無線通信装置３００は、使用されている位置に応じて、基地局２１、３１の何れについても接続が可能であり、これらの基地局を介してＲＯ２０と接続される。
【００５７】
このように、有効なＭＣＩＭ３０１を保持していない第１の無線通信装置３００については、情報処理装置５１からの各種サービスの提供を受けることができない。すなわち、ＭＣＩＭの使用権を保持していない無線通信装置は、サービス限定接続しているデバイス（RO Connected Device）として把握することができる。これに対して、ＭＣＩＭの使用権を保持する無線通信装置は、サービス接続（通常接続）しているデバイス（SHO Connected Device）として把握することができる。なお、ＭＣＩＭの使用権を保持していない無線通信装置は、ＭＣＩＭの使用権をＲＯ２０経由で取得（例えば、ＭＣＩＭのダウンロード、ＭＣＩＭの有効化）することにより、ＳＨＯ３０への接続が可能となる。また、第２の無線通信装置１３０、第３の無線通信装置１４０、第４の無線通信装置１５０についても同様である。
【００５８】
［通信システムの構成例］
図３は、本技術の第１の実施の形態における通信システム１００のシステム構成例を示すブロック図である。
【００５９】
通信システム１００は、ネットワーク１１０と、基地局１２１、１２２、２０６と、第１の無線通信装置３００と、第２の無線通信装置１３０と、第３の無線通信装置１４０と、第４の無線通信装置１５０とを備える。また、通信システム１００は、通信制御装置（第２通信事業者）１２０と、通信制御装置（第１通信事業者）２００とを備える。
【００６０】
ここで、通信システム１００は、図２に示す通信システム１０に対応するシステムである。具体的には、通信制御装置（第２通信事業者）１２０は、図２に示すＳＨＯ３０に対応し、通信制御装置（第１通信事業者）２００は、図２に示すＲＯ２０に対応する。このため、この例では、図２に示す通信システム１０と共通する部分についての説明の一部を省略する。
【００６１】
ネットワーク１１０は、電話網、インターネット等のネットワーク（例えば、公衆回線網）である。また、ネットワーク１１０と通信制御装置（第２通信事業者）１２０とは、ゲートウェイ（図示せず）を介して接続される。同様に、ネットワーク１１０と通信制御装置（第１通信事業者）２００とは、ゲートウェイ（図示せず）を介して接続される。
【００６２】
通信制御装置（第２通信事業者）１２０は、無線接続サービスを提供する無線事業者により管理される通信制御装置であり、図２に示すＳＨＯ３０に対応する。すなわち、通信制御装置（第２通信事業者）１２０は、インターネット・サービス等を提供するものであり、例えば、無線接続サービスを提供する無線事業者（例えば、携帯電話事業者）に対応する。また、通信制御装置（第２通信事業者）は、制御部１２５を備える。なお、通信制御装置（第２通信事業者）１２０は、特許請求の範囲に記載の情報処理装置の一例である。
【００６３】
制御部１２５は、基地局１２１、１２２を介して接続される無線通信装置の認証制御を行うものである。例えば、制御部１２５は、基地局１２１、１２２を介して接続される無線通信装置のうち、通信制御装置（第２通信事業者）１２０の有効なＭＣＩＭ（契約認証情報）を保持する無線通信装置を認証する。そして、通信制御装置（第２通信事業者）は、認証された無線通信装置をゲートウェイ（図示せず）を介してネットワーク１１０に接続する。
【００６４】
また、制御部１２５は、通信制御装置（第１通信事業者）２００と接続され、通信制御装置（第１通信事業者）２００との間で各種情報のやり取りを行う。ここで、有効なＭＣＩＭ（契約認証情報）を保持していない無線通信装置は、その無線通信装置のＰＣＩＤに基づいて、通信制御装置（第２通信事業者）１２０を介した通信制御装置（第１通信事業者）２００との接続（限定接続）が可能である。また、制御部１２５は、ＭＣＩＭの移転要求を無線通信装置から受信した場合には、その移転要求を通信制御装置（第１通信事業者）２００に送信する。
【００６５】
基地局１２１、１２２は、第１の無線通信装置３００、第２の無線通信装置１３０、第３の無線通信装置１４０、第４の無線通信装置１５０と、通信制御装置（第２通信事業者）１２０とを無線回線を介して接続する移動体通信基地局（ＮｏｄｅＢ）である。
【００６６】
例えば、通信システム１００において、有効なＭＣＩＭを保持する無線通信装置は、無線回線を介して基地局１２１、１２２と接続され、基地局１２１、１２２を介して通信制御装置（第２通信事業者）１２０と接続される。また、有効なＭＣＩＭを保持する無線通信装置が通信制御装置（第１通信事業者）２００と接続する場合には、通信制御装置（第２通信事業者）１２０を介して通信制御装置（第１通信事業者）２００と接続される。
【００６７】
また、有効なＭＣＩＭを保持していない無線通信装置は、その無線通信装置のＰＣＩＤに基づいて、基地局２０６を介して通信制御装置（第１通信事業者）２００との接続（限定接続）が可能である。なお、有効なＭＣＩＭを保持しない無線通信装置は、使用されている位置に応じて、基地局１２１、１２２、２０６の何れについても接続が可能であり、これらの基地局を介して通信制御装置（第１通信事業者）２００と接続される。
【００６８】
通信制御装置（第１通信事業者）２００は、初期接続登録等のサービスを提供する無線事業者により管理される通信制御装置であり、図２に示すＲＯ２０に対応する。通信制御装置（第１通信事業者）２００は、例えば、無線接続サービスを提供する無線事業者（例えば、携帯電話事業者）に対応する。また、通信制御装置（第１通信事業者）２００は、通信部２０５と、制御部２１０と、グループ管理データベース２２０と、設定部２３０とを備える。
【００６９】
通信部２０５は、制御部２１０の制御に基づいて、各種情報の送受信を行うものである。通信部２０５は、例えば、通信制御装置（第２通信事業者）１２０、基地局２０６と接続され、これらを介して接続される各無線通信装置との間で各種情報の送受信を行う。
【００７０】
制御部２１０は、通信部２０５（または、通信部２０５および通信制御装置（第２通信事業者）１２０）を介して接続される無線通信装置に関する各種制御を行うものである。例えば、制御部２１０は、ＭＣＩＭの使用権を共有する複数の無線通信装置により構成されるグループに関する情報（グループ情報）をグループ管理データベース２２０から取得する。そして、制御部２１０は、そのグループ情報を、通信部２０５、通信制御装置（第２通信事業者）１２０を介して無線通信装置に供給する。
【００７１】
ここで、複数の無線通信装置間においてＭＣＩＭの使用権（ＭＣＩＭを使用する権利）を移転することにより、複数の無線通信装置によりＭＣＩＭを共有することができる。この場合には、この共有に係る複数の無線通信装置を１つのグループとして設定することができる。このグループについては、グループ管理データベース２２０により管理することができる。
【００７２】
このグループは、接続権（ネットワーク接続権）を共有するグループである。この接続権は、無線通信を利用して所定のネットワーク（例えば、ネットワーク１１０）に接続するための権利であり、例えば、ＭＣＩＭの使用権に対応する。すなわち、接続権は、通信事業者が運営する基地局に接続するためのＭＣＩＭ（契約認証情報）に基づいて、その基地局に接続するための権利である。また、例えば、接続権の有無は、ＭＣＩＭの使用権の有無に対応する。
【００７３】
グループ管理データベース２２０は、ＭＣＩＭを共有する複数の無線通信装置により構成されるグループを管理するためのデータベースである。また、グループ管理データベース２２０は、複数の無線通信装置と、優先順位（優先度）とを無線通信装置毎に関連付けてグループ単位で記憶する。なお、グループ管理データベース２２０については、図４を参照して詳細に説明する。また、グループ管理データベース２２０は、特許請求の範囲に記載の記憶部の一例である。
【００７４】
設定部２３０は、制御部２１０の制御に基づいて、ＭＣＩＭを共有する複数の無線通信装置についてユーザ操作または所定規則に基づいて優先度を設定するものである。例えば、無線通信装置毎の優先順位が、優先度として設定される。この優先度の設定については、図６を参照して詳細に説明する。
【００７５】
ここで、通信システム１００において、ＭＣＩＭの使用権を移転する例（ネットワーク接続権の移転例）について説明する。例えば、各無線通信装置にＭＣＩＭを保持させておく。そして、制御部２１０からの指示に基づいて、通信制御装置（第２通信事業者）１２０が各無線通信装置に保持されているＭＣＩＭの有効化／無効化を行うことにより、ＭＣＩＭの使用権を移転することができる。なお、各無線通信装置に保持されているＭＣＩＭの有効化／無効化については、通信制御装置（第１通信事業者）２００側で行うことも可能である。このため、制御部２１０が、各無線通信装置に保持されているＭＣＩＭの有効化／無効化を行うことにより、ＭＣＩＭの使用権を移転するようにしてもよい。
【００７６】
また、各無線通信装置にＭＣＩＭを保持させる代わりに、ＭＣＩＭそのものを移転することにより、ＭＣＩＭの使用権を移転するようにしてもよい。例えば、第１の無線通信装置３００から第２の無線通信装置１３０にＭＣＩＭの使用権を移転する場合を想定する。例えば、ＭＣＩＭの移転要求が、第１の無線通信装置３００から制御部２１０に送信される。この場合には、制御部２１０からの指示に基づいて、第１の無線通信装置３００に保持されているＭＣＩＭが通信制御装置（第２通信事業者）１２０により無効（消去）とされる。また、制御部２１０を介して通信制御装置（第２通信事業者）１２０から第２の無線通信装置１３０に設定情報（ＭＣＩＭを含む）が送信される。この設定情報に含まれるＭＣＩＭを第２の無線通信装置１３０に保持させることにより、第２の無線通信装置１３０に有効なＭＣＩＭが設定される。なお、各無線通信装置への設定情報（ＭＣＩＭを含む）の送信については、通信制御装置（第１通信事業者）２００側で行うことも可能である。このため、制御部２１０が、各無線通信装置に設定情報（ＭＣＩＭを含む）を送信することにより、ＭＣＩＭの使用権を移転するようにしてもよい。
【００７７】
このように、通信システム１００は、契約認証情報をネットワーク経由で書き換え可能な無線通信装置（デバイス）を有する無線通信システムである。また、通信システム１００は、契約認証情報を複数の無線通信装置（デバイス）で共有し、各無線通信装置に設定されている優先順位（優先度）に基づいて、適切な無線通信装置（デバイス）に接続権を割り当てることができる無線通信システムである。すなわち、複数の無線通信装置間において無線通信を利用して接続権の移転を行う場合に、その移転の対象となる各無線通信装置に設定されている優先度に基づいてその移転が行われる。
【００７８】
また、制御部２１０は、ＭＣＩＭの移転要求を受け付けた場合には、その移転要求に係る各無線通信装置に設定されている優先度に基づいて、各無線通信装置間において接続権を移転させるための制御を行う。
【００７９】
［グループ管理データベースの構成例］
図４は、本技術の第１の実施の形態におけるグループ管理データベース２２０を模式的に示す図である。
【００８０】
図４には、グループＡＢに、第１の無線通信装置３００、第２の無線通信装置１３０、第３の無線通信装置１４０および第４の無線通信装置１５０が登録されている場合を示す。
【００８１】
グループ管理データベース２２０には、グループ名称２２１と、グループＩＤ２２２と、グループパスワード２２３と、デバイスネーム２２４と、端末識別情報２２５と、有効無効情報２２６と、優先順位情報２２７とがグループ単位で関連付けて記憶されている。これらの情報は、例えば、各無線通信装置からの各要求（グループ追加要求、グループ削除要求）に基づいて、制御部２１０により順次更新される。
【００８２】
グループ名称２２１には、グループに付与されている名称が格納される。この名称は、例えば、グループの作成時に格納される。
【００８３】
グループＩＤ２２２には、グループに付与されているＩＤが格納される。また、グループパスワード２２３には、グループに付与されているパスワードが格納される。これらのＩＤおよびパスワードを用いて、例えば、新たな無線通信装置をグループに追加するグループ追加要求が行われる。また、グループに属する各無線通信装置は、そのグループに付与されているＩＤおよびパスワードを記憶しておくようにしてもよい（例えば、図５に示すメモリ３４０に記憶）。または、ＩＤおよびパスワードを無線通信装置に記憶させずにユーザに毎回入力させるような態様とするようにしてもよい。
【００８４】
デバイスネーム２２４には、無線通信装置に付与されている名称が格納される。この名称は、例えば、無線通信装置のグループへの追加登録時に格納される。
【００８５】
端末識別情報２２５には、無線通信装置の端末識別番号が格納される。この端末識別情報は、無線通信装置を識別するための識別情報であり、例えば、ＰＣＩＤが格納される。また、図４では、端末識別情報２２５の「ＰＣＩＤ＃１」が第１の無線通信装置３００に対応するものとする。同様に、端末識別情報２２５の「ＰＣＩＤ＃２」が第２の無線通信装置１３０に対応し、端末識別情報２２５の「ＰＣＩＤ＃３」が第３の無線通信装置１４０に対応し、端末識別情報２２５の「ＰＣＩＤ＃４」が第４の無線通信装置１５０に対応するものとする。
【００８６】
有効無効情報２２６には、無線通信装置におけるＭＣＩＭが有効であるか、無効（または、ＭＣＩＭを未保持）であるかを示す情報が格納される。なお、図４では、説明の容易のため、ＭＣＩＭが有効である無線通信装置には「有効」を示し、ＭＣＩＭが無効である無線通信装置には「無効」を示す。
【００８７】
優先順位情報２２７には、グループを構成する各無線通信装置に設定されている優先順位（優先度）を示す情報が格納される。この優先順位については、例えば、図６に示す優先順位設定画面４００を用いたユーザ操作により設定される。ただし、設定部２３０が所定規則に基づいて優先順位を自動で設定するようにしてもよい。例えば、各無線通信装置の無線通信機能の使用頻度に応じて優先順位を設定することができる。また、例えば、グループを構成する各無線通信装置を複数のユーザで使用するような場合には、これらの複数のユーザから投票を受け付け、これらの集計結果に応じて優先順位を設定するようにしてもよい。なお、図４では、説明の容易のため、優先順位情報を１位、２位等で簡略化して示す。
【００８８】
このように、グループ管理データベース２２０において、ＭＣＩＭを共有する複数の無線通信装置により構成されるグループが管理される。なお、本技術の第１の実施では、同一のグループに属する無線通信装置間でＭＣＩＭの移転処理が行われることを想定して説明する。
【００８９】
ここで、ＭＣＩＭを共有する複数の無線通信装置により構成されるグループに、新たな無線通信装置を追加する例について説明する。例えば、追加対象となる新たな無線通信装置において、追加登録操作を行うことにより、そのグループに新たな無線通信装置を追加登録することができる。この場合に、新たな無線通信装置以外の１または複数の無線通信装置（グループに登録されている）において、その追加登録の承認操作が行われたことを条件に、そのグループに新たな無線通信装置を追加登録するようにしてもよい。
【００９０】
なお、本技術の実施の形態では、説明の容易のため、複数の無線通信装置により構成されるグループについて、１つのＭＣＩＭを共有する例を示す。ただし、Ｍ個の無線通信装置により構成されるグループについて、Ｎ個のＭＣＩＭ（Ｍ＞Ｎ）を共有する場合についても同様に適用することができる。
【００９１】
［無線通信装置の構成例］
図５は、本技術の第１の実施の形態における第１の無線通信装置３００の内部構成例を示すブロック図である。なお、第２の無線通信装置１３０、第３の無線通信装置１４０および第４の無線通信装置１５０の内部構成（無線通信機能に関する構成）については、第１の無線通信装置３００と同様であるため、ここでの説明を省略する。また、図６以降において、第２の無線通信装置１３０、第３の無線通信装置１４０および第４の無線通信装置１５０を用いて説明する場合には、第１の無線通信装置３００に対応する名称および符号を付して説明する。
【００９２】
第１の無線通信装置３００は、アンテナ３１１と、アンテナ共用部３１２と、変調部３２１と、復調部３２２と、制御部３３０と、メモリ３４０と、ＭＣＩＭ情報記憶部３５０とを備える。また、第１の無線通信装置３００は、操作部３６０と、表示部３７０と、位置情報取得部３８０と、マイクロフォン３９１と、スピーカ３９２とを備える。また、各部がバス３３１により接続される。第１の無線通信装置３００は、例えば、通話およびデータ通信が可能な携帯電話装置により実現される。
【００９３】
例えば、受信処理が行われる場合には、アンテナ３１１により受信された電波が、アンテナ共用部３１２を経由して復調部３２２により復調され、この復調された受信データが制御部３３０に供給される。その受信処理が受話処理である場合には、その復調された受信データ（音声データ）が制御部３３０を経由してスピーカ３９２から音声として出力される。
【００９４】
また、例えば、送信処理が行われる場合には、制御部３３０により出力された送信データが変調部３２１により変調され、変調された送信データがアンテナ共用部３１２を経由してアンテナ３１１から送信される。その送信処理が送話処理である場合には、マイクロフォン３９１から入力された音声データが制御部３３０を経由して変調部３２１により変調され、変調された送信データ（音声データ）がアンテナ共用部３１２を経由してアンテナ３１１から送信される。
【００９５】
制御部３３０は、メモリ３４０に格納されている制御プログラムに基づいて各種の制御を行うものである。制御部３３０は、例えば、マイクロプロセッサにより構成される。例えば、制御部３３０は、変調部３２１および復調部３２２と接続され、基地局１２１、１２２を介して接続される通信制御装置（第２通信事業者）１２０との間で行われる各種データの送受信を行う。また、制御部３３０は、例えば、ＭＣＩＭを用いずにＰＣＩＤに基づく限定接続により無線回線を介して通信制御装置（第１通信事業者）２００と接続する接続処理を行う。なお、制御部３３０は、特許請求の範囲に記載の設定部および制御部の一例である。
【００９６】
メモリ３４０は、制御部３３０が各種制御を行うための制御プログラム、送信データ、受信データ等を格納するメモリである。メモリ３４０は、例えば、ＲＯＭ（Read Only Memory）やＲＡＭ（Random Access Memory）により構成される。また、メモリ３４０には、第１の無線通信装置３００を特定するための端末識別情報（ＰＣＩＤ＃１）と、第１の無線通信装置３００のデバイスネーム（例えば、図４に示すデバイスネーム２２４）とが記憶されている。このデバイスネームについては、例えば、ユーザ操作により登録される。また、メモリ３４０には、第１の無線通信装置３００が属するグループＡＢに付与されているＩＤおよびパスワード（例えば、図４に示すグループＩＤ２２２、グループパスワード２２３）が記憶されている。このグループＩＤおよびパスワードについては、例えば、グループ追加要求に応じたグループ追加認証結果に含めて、通信制御装置（第１通信事業者）２００から送信されて、メモリ３４０に記録される。
【００９７】
ＭＣＩＭ情報記憶部３５０は、ＭＣＩＭ（契約認証情報）を保持するメモリである。ＭＣＩＭ情報記憶部３５０として、例えば、ＵＩＣＣ（Universal Integrated Circuit）カードを用いるようにしてもよく、ＭＣＩＭをセキュアに保つための専用メモリを用いるようにしてもよい。なお、ＭＣＩＭ情報記憶部３５０としてＵＩＣＣカードを用いる場合には、ＭＣＩＭが固定的に書き込まれているものではなく、ＭＣＩＭの有効化処理および無効化処理が可能なものを用いる。すなわち、アンテナ３１１から受信して復調された移転情報に基づいて制御部３３０がＭＣＩＭの有効化処理および無効化処理が可能なものを用いる。また、ＭＣＩＭの書換処理が可能なものを用いる。なお、ＭＣＩＭの有効化処理および無効化処理については、３ＧＰＰ（Third Generation Partnership Project）に規定されている有効化処理および無効化処理により行うことができる。また、メモリ３４０にセキュアな領域を確保することにより、ＭＣＩＭ情報記憶部３５０をメモリ３４０内に設けるようにしてもよい。
【００９８】
操作部３６０は、ユーザにより操作された操作入力を受け付ける操作受付部であり、受け付けられた操作入力に応じた信号を制御部３３０に出力する。操作部３６０は、数字キーやアルファベットキー等の各種キーを備える。
【００９９】
表示部３７０は、制御部３３０の制御に基づいて、各種情報（文字情報や時刻情報等）を表示する表示部である。表示部３７０は、例えば、各種設定を行うための情報（例えば、図６、図７に示す表示画面）を表示する。なお、表示部３７０として、例えば、有機ＥＬ（Electro Luminescence）パネル、ＬＣＤ（Liquid Crystal Display）パネル等の表示パネルを用いることができる。なお、操作部３６０および表示部３７０については、使用者がその指を表示面に接触または近接することにより操作入力を行うことが可能なタッチパネルを用いて一体で構成することができる。
【０１００】
位置情報取得部３８０は、第１の無線通信装置３００が存在する位置を示す位置情報を取得するものであり、この取得された位置情報を制御部３３０に出力する。位置情報取得部３８０は、例えば、ＧＰＳ（Global Positioning System）信号受信アンテナ（図示せず）により受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。
【０１０１】
［優先順位設定画面の表示例］
図６は、本技術の第１の実施の形態における第１の無線通信装置３００の表示部３７０に表示される表示画面例（優先順位設定画面４００）を示す図である。
【０１０２】
優先順位設定画面４００は、グループＡＢを構成する無線通信装置の優先順位を設定するための設定操作を行うための表示画面である。優先順位設定画面４００は、例えば、第１の無線通信装置３００におけるユーザ操作に応じて通信制御装置（第１通信事業者）２００から送信される情報に基づいて表示される。例えば、優先順位設定画面４００の表示要求を行うための表示画面（第１の無線通信装置３００の表示部３７０に表示）において、ユーザ操作により、グループＡＢのグループパスワードおよびグループＩＤが入力される。これらの入力されたグループパスワードおよびグループＩＤについて、通信制御装置（第１通信事業者）２００が認証処理を行う。そして、その認証処理により認証がされた場合に、通信制御装置（第１通信事業者）２００から第１の無線通信装置３００に、優先順位設定画面４００を表示するための情報が送信される。
【０１０３】
優先順位設定画面４００には、デバイス一覧表示領域４０１と、優先順位表示領域４０２と、矢印ボタン４０３乃至４０５と、確定ボタン４０６と、戻るボタン４０７とが設けられている。
【０１０４】
デバイス一覧表示領域４０１は、グループＡＢを構成する各無線通信装置を一覧表示するための領域である。
【０１０５】
優先順位表示領域４０２は、グループＡＢを構成する各無線通信装置を優先順位に従って一覧表示するための領域である。すなわち、優先順位表示領域４０２には、ユーザ操作により設定された優先順位に従って、グループＡＢを構成する各無線通信装置が一覧表示される。
【０１０６】
矢印ボタン４０３乃至４０５は、グループＡＢを構成する各無線通信装置の優先順位の設定操作を行う際に用いられるボタンである。具体的には、矢印ボタン４０３は、デバイス一覧表示領域４０１に表示されている無線通信装置（グループＡＢを構成する各無線通信装置）を優先順位表示領域４０２に表示させるためのボタンである。
【０１０７】
ここで、図６では、デバイス一覧表示領域４０１に表示されている４つの無線通信装置のうち、２つの無線通信装置（第１の無線通信装置３００、第３の無線通信装置１４０）が優先順位表示領域４０２に表示されている例を示す。この場合に、例えば、デバイス一覧表示領域４０１に表示されている無線通信装置のうち、第２の無線通信装置１３０（カメラ君）を選択状態（例えば、異なる色が付された状態）として矢印ボタン４０３を押下する。このように選択状態として矢印ボタン４０３が押下されると、その選択状態の第２の無線通信装置１３０（カメラ君）が優先順位表示領域４０２における最下位（一番下に表示されている第３の無線通信装置１４０（音楽さん）の下側）に表示される。
【０１０８】
また、矢印ボタン４０４および４０５は、優先順位表示領域４０２に表示されている無線通信装置の優先順位を入れ替えるためのボタンである。例えば、図６に示すように、優先順位表示領域４０２に表示されている無線通信装置のうち、第３の無線通信装置１４０（音楽さん）を選択状態（例えば、異なる色が付された状態）として矢印ボタン４０４を押下する。このような選択状態において矢印ボタン４０４が押下されると、その選択状態の第３の無線通信装置１４０（音楽さん）が優先順位表示領域４０２における１つ上側に移動する。すなわち、矢印ボタン４０４が一度押下されると、選択状態の無線通信装置の優先順位が１つ上がる。一方、矢印ボタン４０５が一度押下されると、選択状態の無線通信装置の優先順位が１つ下がる。このように、矢印ボタン４０４および４０５の何れかが押下された場合には、その押下されたボタンの方向に、その押下の回数に応じて優先順位が変更される。すなわち、矢印ボタン４０４および４０５の押下に応じて、優先順位表示領域４０２に表示されている無線通信装置の優先順位が順次変更される。
【０１０９】
確定ボタン４０６は、上述した各操作（入力操作）がされた後に、その操作内容を確定する際に押下されるボタンである。すなわち、確定ボタン４０６が押下された場合には、優先順位表示領域４０２に表示されている優先順位（グループＡＢを構成する各無線通信装置の優先順位）が確定される。また、確定ボタン４０６が押下された場合には、制御部３３０は、優先順位表示領域４０２に表示されている優先順位に関する情報（優先順位設定情報）を通信制御装置（第１通信事業者）２００に送信する。すなわち、制御部３３０は、ＭＣＩＭを共有する複数の無線通信装置についてユーザ操作または所定規則に基づいて優先度を設定する設定部として把握することができる。また、その優先順位設定情報の内容を、通信制御装置（第１通信事業者）２００の設定部２３０が、グループ管理データベース２２０の優先順位情報２２７に格納する。
【０１１０】
戻るボタン４０７は、例えば、直前に表示されていた表示画面に戻る場合に押下されるボタンである。なお、図６では、第１の無線通信装置３００を用いて優先順位を設定する例を示すが、優先順位の設定後には、優先順位を設定（変更）することができる無線通信装置を制限するようにしてもよい。例えば、優先順位が１位の無線通信装置のみに優先順位を設定する権利を付与することができる。また、自機に設定されている優先順位よりも下位の優先順位のみを設定する権利を各無線通信装置に付与するようにしてもよい。
【０１１１】
［移転先設定画面の表示例］
図７は、本技術の第１の実施の形態における第１の無線通信装置３００の表示部３７０に表示される表示画面例（移転先設定画面４１０）を示す図である。
【０１１２】
移転先設定画面４１０は、グループに属する各無線通信装置に関する情報（グループ情報）を一覧表示してＭＣＩＭの使用権を移転させるための表示画面である。移転先設定画面４１０は、例えば、第１の無線通信装置３００に実行させる機能を選択するための表示画面（例えば、メニュー画面）における選択操作に応じて表示される。また、移転先設定画面４１０は、通信制御装置（第１通信事業者）２００のグループ管理データベース２２０の内容に基づいて表示される。
【０１１３】
具体的には、移転先設定画面４１０には、移転元表示領域４１１と、デバイス一覧表示領域４１２と、ラジオボタン表示領域４１３と、確定ボタン４１４と、戻るボタン４１５とが設けられている。
【０１１４】
移転元表示領域４１１には、グループに属する各無線通信装置のうちでＭＣＩＭの使用権を保持する無線通信装置を表す名称等が表示される。例えば、グループ管理データベース２２０に格納されているデバイスネームおよび端末識別情報（図４に示すデバイスネーム２２４および端末識別情報２２５）が表示される。
【０１１５】
デバイス一覧表示領域４１２には、グループに属する各無線通信装置を表す名称等が一覧表示される。移転元表示領域４１１と同様に、例えば、グループ管理データベース２２０に格納されているデバイスネームおよび端末識別情報（図４に示すデバイスネーム２２４および端末識別情報２２５）が表示される。
【０１１６】
ラジオボタン表示領域４１３には、グループに属する各無線通信装置間でＭＣＩＭの使用権を移転させる場合に、移転先の無線通信装置を選択するためのラジオボタンが表示される。すなわち、ラジオボタン表示領域４１３には、デバイス一覧表示領域４１２に表示されている無線通信装置毎にラジオボタンが表示される。例えば、移転先の無線通信装置の選択操作が行われた場合には、その選択された無線通信装置に対応するラジオボタン表示領域４１３に黒丸が付される。
【０１１７】
確定ボタン４１４は、移転先設定画面４１０において、ＭＣＩＭの使用権を移転させる操作が行われた後に、その操作を確定する際に押下されるボタンである。
【０１１８】
戻るボタン４１５は、例えば、直前に表示されていた表示画面に戻る場合に押下されるボタンである。
【０１１９】
［ＭＣＩＭの使用権の移転に関する判断基準例］
ここで、図７に示す移転先設定画面４１０においてＭＣＩＭの使用権の移転指示操作が行われた場合を想定する。この場合には、その移転指示操作に応じて通信制御装置（第１通信事業者）２００により移転処理が行われる。しかしながら、ユーザによる誤操作や意図しない操作等により、ユーザが意図しない無線通信装置にＭＣＩＭの使用権が割り当てられたりすることも考えられる。そこで、本技術の第１の実施の形態では、操作を行う無線通信装置（操作デバイス）と、移転元および移転先の無線通信装置の上下関係（優先順位の上下関係）とに基づいて、ＭＣＩＭの使用権を移転するか否かを判断する。
【０１２０】
本技術の実施の形態では、ＭＣＩＭの使用権を移転するか否かを判断する際における判断基準として、次の３つの例を示す。
（１）優先順位のみに基づいてＭＣＩＭの使用権の移転の可否を判断する例（第１の実施の形態）
（２）上位デバイスによる承認を考慮してＭＣＩＭの使用権の移転の可否を判断する例（第２の実施の形態）
（３）下位デバイスからの申立てを考慮してＭＣＩＭの使用権の移転の可否を判断する例（第３の実施の形態）
【０１２１】
図８は、本技術の第１の実施の形態における各無線通信装置間におけるＭＣＩＭの使用権の移転に関する判断基準の一例を示す図である。
【０１２２】
図８では、操作デバイス４２１と、上位デバイスから下位デバイスへのＭＣＩＭの使用権の移転４２２と、下位デバイスから上位デバイスへのＭＣＩＭの使用権の移転４２３との関係例を示す。
【０１２３】
操作デバイス４２１には、移転指示操作を行う無線通信装置の優先順位に関する情報を示す。
【０１２４】
上位デバイスから下位デバイスへのＭＣＩＭの使用権の移転４２２には、上位の無線通信装置から下位の無線通信装置へのＭＣＩＭの使用権の移転指示操作が行われた場合におけるその移転の可否を示す。
【０１２５】
下位デバイスから上位デバイスへのＭＣＩＭの使用権の移転４２３には、下位の無線通信装置から上位の無線通信装置へのＭＣＩＭの使用権の移転指示操作が行われた場合におけるその移転の可否を示す。
【０１２６】
このように、下位の無線通信装置から上位の無線通信装置へのＭＣＩＭの使用権の移転指示操作が行われた場合には、その移転指示操作に応じてＭＣＩＭの使用権が移転される。これに対して、上位の無線通信装置から下位の無線通信装置へのＭＣＩＭの使用権の移転指示操作が行われた場合には、その移転指示操作に応じたＭＣＩＭの使用権の移転が制限される。すなわち、その移転指示操作が、その移転の対象となる２つの無線通信装置のうち、優先順位が上位となる無線通信装置による操作である場合のみ、その移転指示操作に応じたＭＣＩＭの使用権の移転が行われる。
【０１２７】
ここで、例えば、図４に示すように、第２の無線通信装置１３０に設定されている優先順位が、第１の無線通信装置３００に設定されている優先順位よりも低い場合を想定する。この場合に、通信制御装置（第１通信事業者）２００の制御部２１０は、ＭＣＩＭの移転要求を受け付けた場合には、その移転要求に係る各無線通信装置の優先順位に基づいて、その各無線通信装置間においてＭＣＩＭの使用権を移転させるための制御を行う。
【０１２８】
例えば、第２の無線通信装置１３０から第１の無線通信装置３００にＭＣＩＭの使用権を移転するための移転要求を受け付けた場合を想定する。この場合には、制御部２１０は、第２の無線通信装置１３０から第１の無線通信装置３００にＭＣＩＭの使用権を移転させるための制御を行う。
【０１２９】
また、例えば、第１の無線通信装置３００から第２の無線通信装置１３０にＭＣＩＭの使用権を移転するための移転要求を、第１の無線通信装置３００から受け付けた場合を想定する。この場合には、制御部２１０は、第１の無線通信装置３００から第２の無線通信装置１３０にＭＣＩＭの使用権を移転させるための制御を行う。一方、その移転要求を、第１の無線通信装置３００以外の無線通信装置から受け付けた場合には、第１の無線通信装置３００から第２の無線通信装置１３０にＭＣＩＭの使用権は移転されない。
【０１３０】
［移転結果通知画面の表示例］
図９は、本技術の第１の実施の形態における無線通信装置の表示部３７０に表示される表示画面例（移転結果通知画面４３０、４３３）を示す図である。移転結果通知画面４３０、４３３は、ＭＣＩＭの使用権の移転処理を行った後の移転先および移転元の無線通信装置に表示される表示画面である。
【０１３１】
図９（ａ）には、ＭＣＩＭの使用権の移転処理を行った後の移転元の無線通信装置（例えば、第１の無線通信装置３００）に表示される移転結果通知画面４３０を示す。移転結果通知画面４３０には、ＭＣＩＭの使用権の移転処理を行った旨が表示され、移転先デバイス表示領域４３１および確認ボタン４３２が表示される。
【０１３２】
移転先デバイス表示領域４３１には、ＭＣＩＭの使用権が移転された移転先の無線通信装置に関する情報が表示される。移転先の無線通信装置に関する情報として、例えば、デバイスネームおよび端末識別情報が表示される。
【０１３３】
確認ボタン４３２は、移転結果通知画面４３０の内容を確認した後に、他の表示画面（例えば、初期画面）に遷移する際に押下されるボタンである。
【０１３４】
図９（ｂ）には、ＭＣＩＭの使用権の移転処理を行った後の移転先の無線通信装置（例えば、第２の無線通信装置１３０）に表示される移転結果通知画面４３３を示す。移転結果通知画面４３３には、ＭＣＩＭの使用権が移転された旨が表示され、移転元デバイス表示領域４３４および確認ボタン４３５が表示される。
【０１３５】
移転元デバイス表示領域４３４は、ＭＣＩＭの使用権が移転された際におけるその移転元の無線通信装置に関する情報が表示される領域である。移転元の無線通信装置に関する情報として、例えば、デバイスネームおよび端末識別情報が表示される。
【０１３６】
確認ボタン４３５は、移転結果通知画面４３３の内容を確認した後に、他の表示画面（例えば、初期画面）に遷移する際に押下されるボタンである。
【０１３７】
［移転不可通知画面の表示例］
図１０は、本技術の第１の実施の形態における無線通信装置の表示部３７０に表示される表示画面例（移転不可通知画面４３６）を示す図である。
【０１３８】
移転不可通知画面４３６は、ＭＣＩＭの使用権の移転指示操作を行った後に、その移転指示操作に係る移転を行わないと判断された場合に、その移転指示操作を行った無線通信装置に表示される表示画面である。すなわち、図８に示す判断基準例において、「不可」となる場合に移転不可通知画面４３６が表示される。
【０１３９】
移転不可通知画面４３６には、ＭＣＩＭの使用権の移転処理を行うことができない旨が表示され、確認ボタン４３７が表示される。
【０１４０】
確認ボタン４３７は、移転不可通知画面４３６の内容を確認した後に、他の表示画面（例えば、初期画面）に遷移する際に押下されるボタンである。
【０１４１】
［ＭＣＩＭの使用権の移転処理を行う場合における通信例］
図１１および図１２は、本技術の第１の実施の形態における通信システム１００を構成する各装置間における通信処理例を示すシーケンスチャートである。
【０１４２】
図１１および図１２では、グループＡＢにおいて、第１の無線通信装置３００がＭＣＩＭの使用権を保持している場合を想定して説明する。また、グループＡＢを構成する各無縁通信装置に設定されている優先順位については、図４に示すものとする。また、図１１および図１２では、第１の無線通信装置３００を操作することにより、第１の無線通信装置３００から第２の無線通信装置１３０にＭＣＩＭの使用権を移転させる場合における通信処理例を示す。すなわち、優先順位が上位の無線通信装置を用いて、優先順位が上位の無線通信装置から下位の無線通信装置にＭＣＩＭの使用権を移転するための移転指示操作を行う例を示す。
【０１４３】
なお、図１１および図１２では、第１の無線通信装置３００が通信制御装置（第２通信事業者）１２０と接続状態（５０１）とされているものとする。また、第２の無線通信装置１３０および第３の無線通信装置１４０が通信制御装置（第１通信事業者）２００と接続状態（５０２、５０３）とされているものとする。なお、第４の無線通信装置１５０等については、図示を省略する。
【０１４４】
最初に、ユーザ操作により、ＭＣＩＭの使用権を移転するための操作（ＭＣＩＭの移転指示操作）を行うための表示画面を第１の無線通信装置３００の表示部３７０に表示させる（５０４）。例えば、第１の無線通信装置３００の表示部３７０には、図７に示す移転先設定画面４１０が表示される。
【０１４５】
ここで、第１の無線通信装置３００の制御部３３０は、例えば、通信制御装置（第２通信事業者）１２０を介して通信制御装置（第１通信事業者）２００のグループ管理データベース２２０からグループ情報を定期的または不定期に取得する。そして、第１の無線通信装置３００の制御部３３０は、その取得されたグループ情報をメモリ３４０に記憶しておくことができる。このように、メモリ３４０に記憶されているグループ情報に基づいて、制御部３３０は、図７に示す移転先設定画面４１０を表示部３７０に表示させることができる。また、制御部３３０は、移転先設定画面４１０を表示させるためのユーザ操作が受け付けられる毎に、通信制御装置（第２通信事業者）１２０を介して通信制御装置（第１通信事業者）２００からグループ情報を取得するようにしてもよい。この場合には、制御部３３０は、その取得されたグループ情報に基づいて、移転先設定画面４１０を表示部３７０に表示させることができる。
【０１４６】
このように、図７に示す移転先設定画面４１０が表示部３７０に表示されている場合に（５０４）、ＭＣＩＭの使用権を移転させる移転先のラジオボタン（ラジオボタン表示領域４１３）に黒丸が付される（５０５）。
【０１４７】
例えば、第２の無線通信装置１３０を移転先とする場合には、図７に示すように、そのラジオボタン（ラジオボタン表示領域４１３）に黒丸が付される。このように、移転先のラジオボタン（ラジオボタン表示領域４１３）に黒丸が付された後に、確定ボタン４１４が押下される（５０５）。このように、第１の無線通信装置３００においてＭＣＩＭの移転指示操作が受け付けられた場合には（５０５）、ＭＣＩＭの移転要求が第１の無線通信装置３００から通信制御装置（第１通信事業者）２００に送信される（５０６乃至５０９）。この場合には、第１の無線通信装置３００が通信制御装置（第２通信事業者）１２０と接続状態（５０１）とされている。このため、ＭＣＩＭの移転要求は、第１の無線通信装置３００から通信制御装置（第１通信事業者）２００に通信制御装置（第２通信事業者）１２０を介して送信される（５０６乃至５０９）。
【０１４８】
ここで、ＭＣＩＭの移転要求には、その操作を行った無線通信装置（操作端末）の端末識別情報（ＰＣＩＤ＃１）と、移転元および移転先の無線通信装置の端末識別情報（ＰＣＩＤ＃１、ＰＣＩＤ＃２）が含まれる。操作端末および移転元（第１の無線通信装置３００）の端末識別情報（ＰＣＩＤ＃１）として、例えば、メモリ３４０に記憶されている端末識別情報（例えば、図４に示す端末識別情報２２５）を用いることができる。また、移転先（第２の無線通信装置１３０）の端末識別情報（ＰＣＩＤ＃２）として、例えば、グループ情報に含まれる端末識別情報（例えば、図４に示す端末識別情報２２５）を用いることができる。なお、ＭＣＩＭの移転要求にグループＡＢのＩＤおよびパスワードを含め、これらを通信制御装置（第１通信事業者）２００における認証処理に用いるようにしてもよい。
【０１４９】
ＭＣＩＭの移転要求を受信すると（５０９）、通信制御装置（第１通信事業者）２００の制御部２１０は、受信したＭＣＩＭの移転要求に係る移転処理を行うか否かをグループ管理データベース２２０を用いて確認する（５１０）。
【０１５０】
具体的には、通信制御装置（第１通信事業者）２００の制御部２１０は、受信したＭＣＩＭの移転要求に含まれる移転元の端末識別情報に基づいて、ＭＣＩＭの移転要求を送信した無線通信装置が属するグループを抽出する。すなわち、受信したＭＣＩＭの移転要求に含まれる移転元の端末識別情報に一致する端末識別情報がグループ管理データベース２２０から抽出され、この抽出された端末識別情報に係るグループが抽出される。例えば、移転元の第１の無線通信装置３００が属するグループとして「グループＡＢ（図４に示す）」が抽出される。
【０１５１】
そして、通信制御装置（第１通信事業者）２００の制御部２１０は、受信したＭＣＩＭの移転要求に含まれる移転元および移転先の各無線通信装置が同一のグループに属するか否かを判断する。なお、受信したＭＣＩＭの移転要求に含まれる移転元および移転先の各無線通信装置が同一のグループに属していない場合には、操作端末（第１の無線通信装置３００）に、ＭＣＩＭの使用権の移転処理を行うことができない旨が通知される。
【０１５２】
また、受信したＭＣＩＭの移転要求に含まれる移転元および移転先の各無線通信装置が同一のグループに属している場合には、移転元および移転先の各無線通信装置のそれぞれの優先順位が確認される。例えば、移転元の優先順位が下位であり、移転先の優先順位が上位である場合には、図８に示す判断基準例では「可」となる。このため、受信したＭＣＩＭの移転要求に係る移転処理が行われる。
【０１５３】
また、例えば、移転元の優先順位が上位であり、移転先の優先順位が下位である場合には、移転指示操作がその移転元（優先順位が上位）による操作である場合のみ、図８に示す判断基準例では「可」となる。このため、受信したＭＣＩＭの移転要求に係る移転処理が行われる。しかしながら、移転元の優先順位が上位であり、移転先の優先順位が下位である場合において、移転指示操作がその移転元（優先順位が上位）による操作でない場合には、図８に示す判断基準例では「不可」となる。このため、受信したＭＣＩＭの移転要求に移転処理が行われない。
【０１５４】
このように、通信制御装置（第１通信事業者）２００の制御部２１０は、移転元および移転先の優先順位に基づいて、受信したＭＣＩＭの移転要求に係る移転処理を行うか否かを判断する（５１０）。そして、通信制御装置（第１通信事業者）２００の制御部２１０は、受信したＭＣＩＭの移転要求に係る移転処理を行うと判断した場合には、ＭＣＩＭの無効化情報を第１の無線通信装置３００に送信する（５１１乃至５１４）。このＭＣＩＭの無効化情報は、移転元の無線通信装置に保持されているＭＣＩＭの使用権を無効化するための情報である。
【０１５５】
ＭＣＩＭの無効化情報を第１の無線通信装置３００が受信すると（５１４）、第１の無線通信装置３００の制御部３３０は、ＭＣＩＭ情報記憶部３５０に記憶されているＭＣＩＭの無効化処理を行う（５１５）。これにより、第１の無線通信装置３００に保持されているＭＣＩＭが無効化され、第１の無線通信装置３００は、ＭＣＩＭに基づく通信制御装置（第２通信事業者）１２０との接続を行うことができなくなる。このため、第１の無線通信装置３００は、ＰＣＩＤに基づく限定接続により通信制御装置（第１通信事業者）２００と接続する接続状態となる（５１６）。
【０１５６】
このように、移転元におけるＭＣＩＭの無効化処理が行われ（５１５）、移転元および通信制御装置（第２通信事業者）１２０の接続が切断されると、この切断を通信制御装置（第１通信事業者）２００の制御部２１０が検出する（５１７）。例えば、ＭＣＩＭの無効化処理が行われた後に、その旨を移転元（第１の無線通信装置３００）から通信制御装置（第１通信事業者）２００に送信することにより、その切断を制御部２１０が検出することができる（５１７）。また、ＰＣＩＤに基づく限定接続により移転元（第１の無線通信装置３００）が通信制御装置（第１通信事業者）２００と接続する状態（接続状態）となったことを制御部２１０が検出することにより、その切断を制御部２１０が検出することができる（５１７）。
【０１５７】
このように、移転元および通信制御装置（第２通信事業者）１２０の切断を制御部２１０が検出すると（５１７）、制御部２１０は、グループ管理データベース２２０の内容を更新する（５１８）。例えば、図４に示す有効無効情報２２６について、第１の無線通信装置３００（端末識別情報２２５「ＰＣＩＤ＃１」）が「有効」から「無効」に変更される。一方、第２の無線通信装置１３０（端末識別情報２２５「ＰＣＩＤ＃２」）が「無効」から「有効」に変更される。
【０１５８】
また、移転元および通信制御装置（第２通信事業者）１２０の切断を通信制御装置（第１通信事業者）２００の制御部２１０が検出すると（５１７）、制御部２１０は、ＭＣＩＭの設定情報を第２の無線通信装置１３０に送信する（５１９、５２０）。このＭＣＩＭの設定情報は、無線通信装置にＭＣＩＭの使用権を設定するための情報（有効化情報）である。なお、第２の無線通信装置１３０が通信制御装置（第１通信事業者）２００と接続状態（５０２）とされているため、ＭＣＩＭの設定情報は、通信制御装置（第１通信事業者）２００から第２の無線通信装置１３０に直接送信される（５１９、５２０）。
【０１５９】
ＭＣＩＭの設定情報を第２の無線通信装置１３０が受信すると（５２０）、第２の無線通信装置１３０の制御部３３０は、ＭＣＩＭ情報記憶部３５０に記憶されているＭＣＩＭの設定処理（有効化処理）を行う（５２２）。これにより、第２の無線通信装置１３０にＭＣＩＭの使用権が設定されるため、第２の無線通信装置１３０は、ＭＣＩＭに基づく通信制御装置（第２通信事業者）１２０との接続を行うことができる。このため、第２の無線通信装置１３０は、ＭＣＩＭに基づく接続により通信制御装置（第２通信事業者）１２０と接続する接続状態となる（５２３）。
【０１６０】
このように、優先順位が上位である無線通信装置においてＭＣＩＭの移転指示操作が行われた場合には、ＭＣＩＭの使用権の移転に係る承認等を行うことなく、移転処理を行う。
【０１６１】
なお、この例では、ＭＣＩＭの有効化／無効化を行うことにより、ＭＣＩＭの使用権を移転する例を示したが、ＭＣＩＭそのものを転送することにより、ＭＣＩＭの使用権を移転するようにしてもよい。この場合には、ＭＣＩＭの無効化情報が第１の無線通信装置３００に送信されると、第１の無線通信装置３００に保持されているＭＣＩＭが無効（消去）とされる。一方、ＭＣＩＭの設定情報（ＭＣＩＭを書き込むための情報を含む）が第２の無線通信装置１３０に送信されると、その設定情報に基づいて、第２の無線通信装置１３０のＭＣＩＭ情報記憶部３５０に有効なＭＣＩＭが記録される。これにより、第２の無線通信装置１３０にＭＣＩＭの使用権が設定される。
【０１６２】
また、図１１および図１２では、優先順位が上位の無線通信装置を用いて、優先順位が上位から下位へのＭＣＩＭの使用権の移転に係る移転指示操作を行う例を示したが、その移転指示操作を他の無線通信装置において行うことも想定される。この例を図１３に示す。
【０１６３】
［ＭＣＩＭの使用権の移転処理を行う場合における通信例］
図１３は、本技術の第１の実施の形態における通信システム１００を構成する各装置間における通信処理例を示すシーケンスチャートである。具体的には、移転元の優先順位が上位であり、移転先の優先順位が下位である場合に、その移転元以外の無線通信装置を用いてＭＣＩＭの使用権の移転処理を行う場合における通信例を示す。
【０１６４】
なお、図１３に示すシーケンスチャートは、図１１および図１２の変形例であるため、図１１および図１２と共通する部分については、その説明の一部を省略する。また、図１３では、ＭＣＩＭの使用権を保持していない第３の無線通信装置１４０を用いて移転要求を行う例について説明する。
【０１６５】
図１３に示す各処理（５２５乃至５２８）は、図１１に示す各処理（５０４乃至５０９）に対応する。ただし、上述したように、第３の無線通信装置１４０は通信制御装置（第１通信事業者）２００と接続状態（５０３）とされている。このため、第３の無線通信装置１４０および通信制御装置（第１通信事業者）２００間における情報のやりとりが、通信制御装置（第１通信事業者）２００および第３の無線通信装置１４０間で直接行われる点が異なる。
【０１６６】
ＭＣＩＭの移転要求を受信すると（５２８）、通信制御装置（第１通信事業者）２００の制御部２１０は、受信したＭＣＩＭの移転要求に係る移転処理を行うか否かをグループ管理データベース２２０を用いて確認する（５２９）。
【０１６７】
ここで、図１３に示す例では、移転元の優先順位が上位であり、移転先の優先順位が下位であり、移転指示操作がその移転元（優先順位が上位）による操作でないため、図８に示す判断基準例では「不可」となる。このため、通信制御装置（第１通信事業者）２００の制御部２１０は、受信したＭＣＩＭの移転要求に係る移転処理を行わないと判断する（５２９）。
【０１６８】
続いて、通信制御装置（第１通信事業者）２００の制御部２１０は、ＭＣＩＭの移転要求を行った無線通信装置（第３の無線通信装置１４０）に、ＭＣＩＭの使用権の移転処理を行うことができない旨の移転不可通知を送信する（５２９、５３１）。この移転不可通知は、例えば、図１０に示す移転不可通知画面４３６を、第３の無線通信装置１４０の表示部３７０に表示させるための情報である。
【０１６９】
第３の無線通信装置１４０が、移転不可通知を受信した場合には（５３１）、その移転不可通知を表示部３７０に表示する（５３２）。例えば、図１０に示す移転不可通知画面４３６が第３の無線通信装置１４０の表示部３７０に表示される。
【０１７０】
なお、図１３では、第３の無線通信装置１４０を用いてＭＣＩＭの移転指示操作を行う例を示した。ただし、第２の無線通信装置を１３０や他の無線通信装置（グループＡＢに属しない無線通信装置を含む）を用いてＭＣＩＭの移転指示操作を行う場合についても同様とすることができる。
【０１７１】
［ＭＣＩＭの使用権の移転処理を行う場合における通信例］
図１４および図１５は、本技術の第１の実施の形態における通信システム１００を構成する各装置間における通信処理例を示すシーケンスチャートである。具体的には、移転元の優先順位が下位であり、移転先の優先順位が上位である場合に、移転対象以外の無線通信装置を用いてＭＣＩＭの使用権の移転処理を行う場合における通信例を示す。
【０１７２】
なお、図１４および図１５に示すシーケンスチャートは、図１１および図１２の変形例であるため、図１１および図１２と共通する部分については、その説明の一部を省略する。また、図１４および図１５では、ＭＣＩＭの使用権を保持せず、移転対象（移転元、移転先）とはならない第３の無線通信装置１４０を用いて移転要求を行う例について説明する。
【０１７３】
また、図１４および図１５では、第２の無線通信装置１３０がＭＣＩＭの使用権を保持し、第２の無線通信装置１３０が通信制御装置（第２通信事業者）１２０と接続状態（５３６）とされているものとする。また、第１の無線通信装置３００および第３の無線通信装置１４０が通信制御装置（第１通信事業者）２００と接続状態（５３５、５３７）とされているものとする。なお、第４の無線通信装置１５０等については、図示を省略する。
【０１７４】
図１４に示す各処理（５３８乃至５４１）は、図１１に示す各処理（５０４乃至５０９）に対応する。ただし、上述したように、第３の無線通信装置１４０は通信制御装置（第１通信事業者）２００と接続状態（５３７）とされている。このため、第３の無線通信装置１４０および通信制御装置（第１通信事業者）２００間における情報のやりとりが、通信制御装置（第１通信事業者）２００および第３の無線通信装置１４０間で直接行われる点が異なる。
【０１７５】
ＭＣＩＭの移転要求を受信すると（５４１）、通信制御装置（第１通信事業者）２００の制御部２１０は、受信したＭＣＩＭの移転要求に係る移転処理を行うか否かをグループ管理データベース２２０を用いて確認する（５４２）。
【０１７６】
ここで、図１４および図１５に示す例では、移転元の優先順位が下位であり、移転先の優先順位が上位であるため、図８に示す判断基準例では「可」となる。このため、通信制御装置（第１通信事業者）２００の制御部２１０は、受信したＭＣＩＭの移転要求に係る移転処理を行うと判断する（５４２）。
【０１７７】
図１４および図１５に示す各処理（５４３乃至５５４）は、図１１および図１２に示す各処理（５１１乃至５２３）に対応する。ただし、ＭＣＩＭの使用権の移転元および移転先が逆となっている点が異なる。
【０１７８】
［通信システムの動作例］
次に、本技術の第１の実施の形態における通信システム１００の動作について図面を参照して説明する。
【０１７９】
［通信制御装置（第１通信事業者）の動作例］
図１６は、本技術の第１の実施の形態における通信制御装置（第１通信事業者）２００による通信処理の処理手順の一例を示すフローチャートである。
【０１８０】
制御部２１０は、ＭＣＩＭの移転要求を受信したか否かを判断し（ステップＳ９０１）、ＭＣＩＭの移転要求を受信していない場合には、監視を継続して行う。ＭＣＩＭの移転要求を受信した場合には（ステップＳ９０１）、制御部２１０は、受信したＭＣＩＭの移転要求に係る移転対象となる無線通信装置が属するグループをグループ管理データベース２２０から抽出する（ステップＳ９０２）。なお、ステップＳ９０１は、特許請求の範囲に記載の受付手順の一例である。
【０１８１】
続いて、制御部２１０は、受信したＭＣＩＭの移転要求に係る移転対象となる２つの無線通信装置（移転元、移転先）が同一のグループに属するか否かを判断する（ステップＳ９０３）。そして、移転対象となる２つの無線通信装置が同一のグループに属しない場合には（ステップＳ９０３）、制御部２１０は、そのＭＣＩＭの移転要求を送信した無線通信装置に移転不可通知を送信する（ステップＳ９０６）。この移転不可通知は、受信したＭＣＩＭの移転要求に係る移転は不可である旨を示す通知である。
【０１８２】
また、移転対象となる２つの無線通信装置が同一のグループに属する場合には（ステップＳ９０３）、制御部２１０は、受信したＭＣＩＭの移転要求は、優先順位が上位から下位への移転要求であるか否かを判断する（ステップＳ９０４）。その移転要求が、優先順位が上位から下位への移転要求でない場合（すなわち、下位から上位への移転要求である場合）には（ステップＳ９０４）、ステップＳ９０７に進む。一方、その移転要求が、上位から下位への移転要求である場合には（ステップＳ９０４）、制御部２１０は、その移転要求を送信した無線通信装置が所定条件を満たすか否かを判断する（ステップＳ９０５）。この所定条件は、その移転要求を送信した無線通信装置が、その移転要求に係る移転対象となる無線通信装置であり、かつ、優先順位が上位の無線通信装置であることである。
【０１８３】
その移転要求を送信した無線通信装置が、移転対象となる無線通信装置でない場合、または、その移転要求が、優先順位が下位となる無線通信装置からの送信である場合には（ステップＳ９０５）、ステップＳ９０６に進む。
【０１８４】
その移転要求を送信した無線通信装置が、その移転要求に係る移転対象となる無線通信装置であり、かつ、優先順位が上位の無線通信装置である場合には（ステップＳ９０５）、制御部２１０は、ＭＣＩＭの無効化情報を移転元に送信する（ステップＳ９０７）。
【０１８５】
続いて、制御部２１０は、ＭＣＩＭの無効化処理が行われた移転元および通信制御装置（第２通信事業者）１２０の接続の切断を検出したか否かを判断し（ステップＳ９０８）、その切断を検出していない場合には、監視を継続して行う。その切断を検出した場合には（ステップＳ９０８）、制御部２１０は、グループ管理データベース２２０の内容を更新する（ステップＳ９０９）。すなわち、ＭＣＩＭの使用権の移転処理後の内容となるように、グループ管理データベース２２０の内容が更新される。
【０１８６】
続いて、制御部２１０は、ＭＣＩＭの設定情報を移転先に送信する（ステップＳ９１０）。なお、ステップＳ９０２乃至Ｓ９１０は、特許請求の範囲に記載の制御手順の一例である。
【０１８７】
このように、本技術の第１の実施の形態では、ＭＣＩＭの使用権を共有するグループを構成する各無線通信装置に優先順位を設定する。このように各無線通信装置に優先順位を設定することにより、通信リソースを適切に割り当てることができる。すなわち、ＭＣＩＭの使用権を適切に移転することができる。例えば、所定条件（優先順位が高い無線通信装置による移転指示操作）を満たさない場合には、優先順位が低い無線通信装置へのＭＣＩＭの使用権の移転を禁止することができる。
【０１８８】
また、例えば、ユーザによる誤操作（例えば、ＭＣＩＭの移転指示操作）や複数ユーザの同時使用による意図しない割り当て（すなわち、意図しないＭＣＩＭの使用権の移転）を防止することができる。また、優先順位が低い無線通信装置がＭＣＩＭの使用権を独占することを防止し、優先順位の高い無線通信装置が必要な時にＭＣＩＭの使用権を容易に取得することができる。すなわち、ＭＣＩＭの使用権を複数の無線通信装置間において適切に共有することができる。
【０１８９】
＜２．第２の実施の形態＞
本技術の第１の実施の形態では、優先順位が上位から下位への移転要求がされた場合には、その移転要求を送信した無線通信装置が所定条件を満たす場合にのみ、その移転要求に係る移転処理を行う例を示した。すなわち、優先順位が上位の無線通信装置からの移転要求以外については、優先順位のみに基づいて移転処理を行うか否かを判断する例を示した。ただし、優先順位が上位の無線通信装置からの移転要求以外についても、例えば、上位の無線通信装置による承認があったことを条件に移転処理を行うようにしてもよい。
【０１９０】
そこで、本技術の第２の実施の形態では、優先順位が上位の無線通信装置からの移転要求以外についても、上位の無線通信装置による承認があったことを条件に移転処理を行う例を示す。なお、本技術の第２の実施の形態における通信システムの構成については、図３等に示す例と略同様である。このため、本技術の第１の実施の形態と共通する部分については、その説明の一部を省略する。
【０１９１】
［ＭＣＩＭの使用権の移転に関する判断基準例］
図１７は、本技術の第２の実施の形態における各無線通信装置間におけるＭＣＩＭの使用権の移転に関する判断基準の一例を示す図である。なお、図１７に示す判断基準は、図８の一部を変形したものであるため、図８に相当する名称には、同一の符号を付してこれらの説明を省略する。
【０１９２】
具体的には、図１７に示す判断基準は、図８に示す判断基準において「不可」となる状態でも、上位の無線通信装置により承認処理が行われたことを条件に、移転を行うものである。
【０１９３】
すなわち、上位の無線通信装置から下位の無線通信装置へのＭＣＩＭの使用権の移転指示操作が行われた場合において、上位の無線通信装置による承認があったことを条件に、ＭＣＩＭの使用権の移転の制限を緩和する。
【０１９４】
ここで、例えば、図４に示すように、第２の無線通信装置１３０に設定されている優先順位が、第１の無線通信装置３００に設定されている優先順位よりも低い場合を想定する。例えば、第１の無線通信装置３００から第２の無線通信装置１３０にＭＣＩＭの使用権を移転するための移転要求を第１の無線通信装置３００以外の無線通信装置から受け付けた場合を想定する。この場合には、制御部２１０は、所定条件を満たす場合にのみ、第１の無線通信装置３００から第２の無線通信装置１３０にＭＣＩＭの使用権を移転させるための制御を行う。例えば、制御部２１０は、その移転要求に係る移転の承認処理が第１の無線通信装置３００において行われた場合に所定条件を満たすと判断する。
【０１９５】
［移転承認画面の表示例］
図１８は、本技術の第２の実施の形態における無線通信装置の表示部３７０に表示される表示画面例（移転承認画面４５０）を示す図である。
【０１９６】
移転承認画面４５０は、ＭＣＩＭの使用権の移転元または移転先の無線通信装置に関する情報を表示して、ＭＣＩＭの使用権の移転をユーザに承認させるための表示画面である。具体的には、移転承認画面４５０には、移転対象デバイス表示欄４５１と、ＯＫボタン４５２と、ＮＧボタン４５３とが設けられている。
【０１９７】
移転対象デバイス表示欄４５１には、ＭＣＩＭの使用権の移転元および移転先の無線通信装置に関する情報が表示される。移転元または移転先の無線通信装置に関する情報として、例えば、デバイスネームおよび端末識別情報が表示される。
【０１９８】
この例では、移転元または移転先の無線通信装置に関する情報として、デバイスネームおよび端末識別情報を同時に表示して、その無線通信装置をユーザに通知する例を示す。なお、通信制御装置（第１通信事業者）２００の制御部２１０から送信される移転承認要求（例えば、図１９に示す）に含まれる情報（例えば、無線通信装置が図形化された画像（デバイスアイコン））を移転承認画面４５０に表示させるようにしてもよい。また、例えば、第２の無線通信装置１３０に保持されている登録情報（例えば、デバイスアイコン情報）に基づいて、相手先の無線通信装置に関する他の情報（例えば、デバイスアイコン）を、デバイスネームおよび端末識別情報とともに表示させるようにしてもよい。また、移転元または移転先の無線通信装置に関する情報以外に、ＭＣＩＭの移転要求を送信した無線通信装置に関する情報を表示するようにしてもよい。
【０１９９】
ＯＫボタン４５２は、移転対象デバイス表示欄４５１に表示されている無線通信装置間におけるＭＣＩＭの使用権の移転処理を行うことをユーザが承認する場合に押下されるボタンである。
【０２００】
ＮＧボタン４５３は、移転対象デバイス表示欄４５１に表示されている無線通信装置間におけるＭＣＩＭの使用権の移転処理を行うことをユーザが承認しない場合に押下されるボタンである。
【０２０１】
なお、この例では、移転承認画面４５０において、ＯＫボタン４５２が押下された場合には、ＭＣＩＭの使用権の移転処理を行うことをユーザが承認したと判断する例を示す。ただし、例えば、ＯＫボタン４５２の押下操作以外に、所定のパスワード（例えば、グループのパスワード）が入力されたことを条件に、ＭＣＩＭの使用権の移転処理を行うことをユーザが承認したと判断するようにしてもよい。
【０２０２】
［ＭＣＩＭの使用権の移転処理を行う場合における通信例］
図１９および図２０は、本技術の第２の実施の形態における通信システム１００を構成する各装置間における通信処理例を示すシーケンスチャートである。具体的には、移転元の優先順位が上位であり、移転先の優先順位が下位である場合に、その移転元以外の無線通信装置を用いてＭＣＩＭの使用権の移転処理を行う場合における通信例を示す。
【０２０３】
なお、図１９および図２０に示すシーケンスチャートは、図１１および図１２の変形例であるため、図１１および図１２と共通する部分については、その説明の一部を省略する。また、図１９および図２０では、ＭＣＩＭの使用権を保持せず、移転対象（移転元、移転先）とはならない第３の無線通信装置１４０を用いて移転要求を行う例について説明する。
【０２０４】
図１９に示す各処理（５６１乃至５６４）は、図１１に示す各処理（５０４乃至５０９）に対応する。ただし、上述したように、第３の無線通信装置１４０は通信制御装置（第１通信事業者）２００と接続状態（５０３）とされている。このため、第３の無線通信装置１４０および通信制御装置（第１通信事業者）２００間における情報のやりとりが、通信制御装置（第１通信事業者）２００および第３の無線通信装置１４０間で直接行われる点が異なる。
【０２０５】
ＭＣＩＭの移転要求を受信すると（５６４）、通信制御装置（第１通信事業者）２００の制御部２１０は、受信したＭＣＩＭの移転要求に係る移転処理を行うか否かをグループ管理データベース２２０を用いて確認する（５６５）。
【０２０６】
ここで、図１９および図２０に示す例では、移転元の優先順位が上位であり、移転先の優先順位が下位であり、移転指示操作がその移転元（優先順位が上位）による操作でないため、図１７に示す判断基準例では「上位デバイスの承認時のみ可」となる。このため、通信制御装置（第１通信事業者）２００の制御部２１０は、移転元の無線通信装置（優先順位が上位）による承認を受けたことを条件に、受信したＭＣＩＭの移転要求に係る移転処理を行うと判断する（５６５）。この場合には、通信制御装置（第１通信事業者）２００の制御部２１０は、移転元（第１の無線通信装置３００）に送信する移転元および移転先に関する各情報（デバイスネーム、端末識別情報等）をグループ管理データベース２２０から取得する。
【０２０７】
続いて、通信制御装置（第１通信事業者）２００の制御部２１０は、受信したＭＣＩＭの移転要求に含まれる移転元の端末識別情報により特定される無線通信装置に、移転承認要求を送信する（５６６乃至５６９）。この移転承認要求には、受信したＭＣＩＭの移転要求に含まれる移転元および移転先に関する各情報を含める。
【０２０８】
また、第１の無線通信装置３００が移転承認要求を受信すると（５６９）、第１の無線通信装置３００の制御部３３０は、ＭＣＩＭの使用権の移転をユーザに承認させるための移転承認画面を第１の無線通信装置３００の表示部３７０に表示させる（５７０）。例えば、図１８に示す移転承認画面４５０が表示部３７０に表示される。
【０２０９】
ここで、図１８に示す移転承認画面４５０において、ＯＫボタン４５２が押下されたものとする（５７１）。このようにＭＣＩＭの使用権の移転承認操作（ＯＫボタン４５２の押下操作）が行われた場合には（５７１）、ＭＣＩＭの使用権の移転を承認する旨の移転承認情報が通信制御装置（第１通信事業者）２００に送信される（５７２乃至５７５）。なお、ＮＧボタン４５３が押下された場合には（５７１）、ＭＣＩＭの使用権の移転を承認しない旨の移転承認情報が、第１の無線通信装置３００から通信制御装置（第１通信事業者）２００に送信される（５７２乃至５７５）。このようにＮＧボタン４５３が押下された場合には、これ以降のＭＣＩＭの使用権の移転処理が行われない。また、ＭＣＩＭの使用権の移転要求を送信した無線通信装置（第３の無線通信装置１４０）に、未承認である旨が送信されてその旨の通知が表示される。
【０２１０】
なお、図１９および図２０では、移転承認画面４５０におけるＯＫボタン４５２の押下操作により、ＭＣＩＭの使用権の移転を承認する例を示した。ただし、例えば、ＯＫボタン４５２の押下操作後に、パスワード等の入力操作を求め、この入力が正しいことを条件に、ＭＣＩＭの使用権の移転を承認するようにしてもよい。
【０２１１】
また、図１９および図２０では、ＭＣＩＭの使用権の移転に係る承認操作をユーザが第１の無線通信装置３００において手動で行う例を示した（５７１）。ただし、例えば、移転承認要求を受信した場合に（５６９）、第１の無線通信装置３００が自動で移転承認情報を送信するようにしてもよい（５７２）。例えば、第１の無線通信装置３００において、グループＡＢを構成する無線通信装置間におけるＭＣＩＭの使用権の移転を承認する旨を予め登録しておく。そして、第１の無線通信装置３００が移転承認要求を受信した場合には、移転承認情報を自動で通信制御装置（第１通信事業者）２００に送信するようにしてもよい。
【０２１２】
また、例えば、通信制御装置（第１通信事業者）２００が移転承認要求を第１の無線通信装置３００に送信せずに、グループ管理データベース２２０の内容を確認した後に、自動でＭＣＩＭの移転処理を行うようにしてもよい。このように自動で各処理を行う場合には、例えば、その旨の設定をユーザが予め行っておくものとする。このように、各承認処理を自動で行うことにより、例えば、承認操作に用いる無線通信装置が比較的離れているような場合でも、ユーザが意図する承認を容易に行うことができる。
【０２１３】
また、通信制御装置（第１通信事業者）２００が移転承認情報を受信した場合には（５７５）、制御部２１０は、ＭＣＩＭの無効化情報を第１の無線通信装置３００に送信する（５７６乃至５７９）。
【０２１４】
図２０に示す各処理（５７６乃至５８７）は、図１１および図１２に示す各処理（５１１乃至５２３）に対応する。
【０２１５】
なお、図１９および図２０では、第３の無線通信装置１４０を用いてＭＣＩＭの移転指示操作を行う例を示した。ただし、第２の無線通信装置を１３０や他の無線通信装置（グループＡＢに属しない無線通信装置を含む）を用いてＭＣＩＭの移転指示操作を行う場合についても同様とすることができる。
【０２１６】
［通信制御装置（第１通信事業者）の動作例］
図２１は、本技術の第２の実施の形態における通信制御装置（第１通信事業者）２００による通信処理の処理手順の一例を示すフローチャートである。なお、図２１は、図１６の変形例であるため、図１６と共通する部分については、同一の符号を付して、その説明の一部を省略する。
【０２１７】
移転対象となる２つの無線通信装置が同一のグループに属しない場合（ステップＳ９０３）、移転要求を送信した無線通信装置が所定条件を満たさない場合には（ステップＳ９０５）、制御部２１０は、移転承認要求を送信する（ステップＳ９２１）。この移転承認要求は、移転元の無線通信装置（優先順位が上位）に送信される。
【０２１８】
続いて、制御部２１０は、承認する旨の移転承認情報を受信したか否かを判断し（ステップＳ９２２）、承認する旨の移転承認情報を受信した場合には、ステップＳ９０７に進む。また、承認する旨の移転承認情報を受信していない場合には（ステップＳ９２２）、制御部２１０は、移転承認要求を送信してから所定時間が経過したか否かを判断し（ステップＳ９２３）、所定時間が経過していない場合には、ステップＳ９２２に戻る。また、移転承認要求を送信してから所定時間が経過した場合には（ステップＳ９２３）、ステップＳ９０６に進む。このように、一定時間が経過しても返答が返ってこない場合には、移転承認要求については否認されたとみなすことができる。
【０２１９】
このように、本技術の第２の実施の形態では、優先順位が上位の無線通信装置からの移転要求以外についても、上位の無線通信装置による承認があったことを条件に移転処理を行う。すなわち、ＭＣＩＭの使用権を移転する場合には、優先順位の高い無線通信装置における承認を必要とすることにより、例えば、ＭＣＩＭを使用中の無線通信装置から、その使用中のＭＣＩＭの移転を防止することができる。
【０２２０】
＜３．第３の実施の形態＞
本技術の第１および第２の実施の形態では、優先順位が下位から上位への移転要求がされた場合には、その移転要求に係る移転処理を行う例を示した。ただし、優先順位が下位の無線通信装置にＭＣＩＭの使用権が設定されている場合に、何らかの理由（例えば、一定期間使用する予定）で、優先順位が下位から上位への移転を拒否する必要があることも想定される。
【０２２１】
そこで、本技術の第３の実施の形態では、優先順位が下位から上位への移転要求がされた場合には、下位の無線通信装置の申立てを考慮する例を示す。なお、本技術の第３の実施の形態における通信システムの構成については、図３等に示す例と略同様である。このため、本技術の第１の実施の形態と共通する部分については、その説明の一部を省略する。
【０２２２】
［ＭＣＩＭの使用権の移転に関する判断基準例］
図２２は、本技術の第３の実施の形態における各無線通信装置間におけるＭＣＩＭの使用権の移転に関する判断基準の一例を示す図である。なお、図２２に示す判断基準は、図１７の一部を変形したものであるため、図１７に相当する名称には、同一の符号を付してこれらの説明を省略する。
【０２２３】
具体的には、図２２に示す判断基準は、図１７に示す判断基準において「可」となる状態でも、下位の無線通信装置による否認時（申立て時）には、上位の無線通信装置による承認を受けたことを条件に、移転を行うものである。
【０２２４】
すなわち、下位の無線通信装置から上位の無線通信装置へのＭＣＩＭの使用権の移転指示操作が行われた場合でも、ＭＣＩＭの使用権の移転に一定の制限を設ける。
【０２２５】
ここで、例えば、図４に示すように、第２の無線通信装置１３０に設定されている優先順位が、第１の無線通信装置３００に設定されている優先順位よりも低い場合を想定する。例えば、第２の無線通信装置１３０から第１の無線通信装置３００にＭＣＩＭの使用権を移転するための移転要求を第２の無線通信装置１３０以外の無線通信装置から受け付けた場合を想定する。この場合には、制御部２１０は、所定条件を満たす場合にのみ、第２の無線通信装置１３０から第１の無線通信装置３００にＭＣＩＭの使用権を移転させるための制御を行う。例えば、制御部２１０は、その移転要求に係る移転の承認処理が第２の無線通信装置１３０において行われた場合に所定条件を満たすと判断する。または、制御部２１０は、その移転要求に係る移転の承認処理が第２の無線通信装置１３０において行われず、かつ、その移転要求に係る移転の承認処理が第１の無線通信装置３００において行われた場合に所定条件を満たすと判断する。
【０２２６】
［ＭＣＩＭの使用権の移転処理を行う場合における通信例］
図２３および図２４は、本技術の第３の実施の形態における通信システム１００を構成する各装置間における通信処理例を示すシーケンスチャートである。
【０２２７】
なお、図２３および図２４に示すシーケンスチャートは、図１４および図１５の変形例であるため、図１４および図１５と共通する部分については、その説明の一部を省略する。また、図２３および図２４では、ＭＣＩＭの使用権を保持せず、移転対象（移転元、移転先）とはならない第３の無線通信装置１４０を用いて移転要求を行う例について説明する。
【０２２８】
図２３に示す各処理（５９１乃至５９４）は、図１４に示す各処理（５３８乃至５４１）に対応する。
【０２２９】
ＭＣＩＭの移転要求を受信すると（５９４）、通信制御装置（第１通信事業者）２００の制御部２１０は、受信したＭＣＩＭの移転要求に係る移転処理を行うか否かをグループ管理データベース２２０を用いて確認する（５９５）。
【０２３０】
ここで、図２３および図２４に示す例では、移転元の優先順位が下位であり、移転先の優先順位が上位であり、移転指示操作がその移転元（優先順位が下位）による操作でない。この場合に、図２２に示す判断基準例では「下位デバイスの否認時のみ上位デバイスで再承認後に可」となる。このため、通信制御装置（第１通信事業者）２００の制御部２１０は、移転元の無線通信装置（優先順位が下位）に移転承認を行う。
【０２３１】
ここで、その移転承認が否認された場合には、移転先の無線通信装置（優先順位が上位）による承認を受けたことを条件に、通信制御装置（第１通信事業者）２００の制御部２１０は、受信したＭＣＩＭの移転要求に係る移転処理を行うと判断する（５９５）。
【０２３２】
また、移転元の無線通信装置（優先順位が下位）により移転承認がされた場合には、移転先の無線通信装置（優先順位が上位）による承認を受けることなく、受信したＭＣＩＭの移転要求に係る移転処理を行うと判断する（５９５）。
【０２３３】
また、通信制御装置（第１通信事業者）２００の制御部２１０は、移転元（第１の無線通信装置３００）に送信する移転元および移転先に関する各情報（デバイスネーム、端末識別情報等）をグループ管理データベース２２０から取得する。
【０２３４】
続いて、通信制御装置（第１通信事業者）２００の制御部２１０は、受信したＭＣＩＭの移転要求に含まれる移転元の端末識別情報により特定される無線通信装置に、移転承認要求を送信する（５９６乃至５９９）。この移転承認要求には、受信したＭＣＩＭの移転要求に含まれる移転元および移転先に関する各情報を含める。
【０２３５】
また、第２の無線通信装置１３０が移転承認要求を受信すると（５９９）、第２の無線通信装置１３０の制御部３３０は、ＭＣＩＭの使用権の移転をユーザに承認させるための移転承認画面を第２の無線通信装置１３０の表示部３７０に表示させる（６００）。例えば、図１８に示す移転承認画面４５０が表示部３７０に表示される。なお、ＭＣＩＭの移転承認操作については、図１９に示す処理（５７１）と同様であるため、ここでの詳細な説明を省略する。
【０２３６】
ＭＣＩＭの使用権の移転承認操作（ＯＫボタン４５２の押下操作）が行われた場合には（６０１）、ＭＣＩＭの使用権の移転を承認する旨の移転承認情報が、第２の無線通信装置１３０から通信制御装置（第１通信事業者）２００に送信される（６０２乃至６０５）。ここで、ＭＣＩＭの使用権の移転を承認する旨の移転承認情報が通信制御装置（第１通信事業者）２００に送信された場合には（６０２乃至６０５）、移転先の無線通信装置に対する移転承認要求に係る各処理（６０６乃至６１１）は行わない。
【０２３７】
また、一定時間が経過しても移転元から返答が返ってこない場合には、移転承認要求については承認されたとみなすことができる。
【０２３８】
また、ＭＣＩＭの使用権の移転承認操作（ＮＧボタン４５３の押下操作）が行われた場合には（６０１）、ＭＣＩＭの使用権の移転を承認しない旨の移転承認情報が第２の無線通信装置１３０から送信される（６０２乃至６０５）。
【０２３９】
このようにＭＣＩＭの使用権の移転を承認しない旨の移転承認情報を受信した場合には（６０５）、通信制御装置（第１通信事業者）２００の制御部２１０は、移転先の無線通信装置に移転承認要求を送信する（６０６、６０７）。この移転承認要求の送信以降の各処理（６０６乃至６２３）については、図１９および図２０に示す処理（５６８乃至５８７）と略同様であるため、ここでの詳細な説明を省略する。
【０２４０】
このように、本技術の第３の実施の形態では、下位の無線通信装置による否認時（申立て時）には、上位の無線通信装置による承認を受けたことを条件にＭＣＩＭの使用権の移転処理を行う。すなわち、ＭＣＩＭの使用権の移転に関する可否を移転元（下位）から受け付け、ＭＣＩＭの使用権の移転を承認しない申立てを受け付けた場合には、ＭＣＩＭの使用権の移転に関する最終判断を移転先（上位）にゆだねる。
【０２４１】
なお、図２３および図２４では、第３の無線通信装置１４０を用いてＭＣＩＭの移転指示操作を行う例を示した。ただし、第２の無線通信装置を１３０や他の無線通信装置（グループＡＢに属しない無線通信装置を含む）を用いてＭＣＩＭの移転指示操作を行う場合
【０２４２】
なお、本技術の実施の形態では、グループを構成する各無線通信装置について異なる優先順位を設定する例を示したが、同一の優先順位を複数の無線通信装置に設定するようにしてもよい。このように同一の優先順位が設定されている無線通信装置間においてＭＣＩＭの使用権を移転する場合には、例えば、優先順位が上位から下位への移転とみなして判断することができる。または、同一の優先順位が設定されている無線通信装置間においてＭＣＩＭの使用権を移転する場合には、優先順位の判断を行わずに、ＭＣＩＭの使用権の移転処理を行うようにしてもよい。
【０２４３】
また、グループを構成する各無線通信装置について優先順位を設定する際に、同じ優先順位の設定を認めないようにしてもよい。
【０２４４】
なお、本技術の実施の形態では、一体として構成される情報処理装置（通信制御装置１２０、２００等）を例にして説明した。ただし、これらの情報処理装置が備える各部（例えば、制御部２１０、グループ管理データベース２２０）を複数の装置により構成する情報処理システムについても本技術の実施の形態を適用することができる。また、本技術の実施の形態では、４の無線通信装置により構成されるグループＡＢを例にして説明したが、２、３、または、５以上の無線通信装置により構成されるグループについても本技術の実施の形態を適用することができる。
【０２４５】
また、携帯型の無線通信装置（例えば、データ通信専用端末装置）や、固定型の無線通信装置に本技術の実施の形態を適用することができる。例えば、自動販売機のデータ収集を目的とする無線通信装置、エレベータ、自動車、電子機器（例えば、家電製品、ゲーム機、デジタルフォトフレーム）に搭載されている無線通信装置に本技術の実施の形態を適用することができる。
【０２４６】
また、本技術の実施の形態では、ネットワーク接続権（接続権）として、ＭＣＩＭの使用権を例にして説明した。ただし、他の情報（例えば、ＵＳＩＭ（Universal Subscriber Identity Module））に基づいて、所定のネットワークと接続するための接続権についても、本技術の実施の形態を適用することができる。
【０２４７】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２４８】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０２４９】
なお、本技術は以下のような構成もとることができる。
（１）  無線通信を利用して所定のネットワークに接続するための接続権を共有する複数の無線通信装置についてユーザ操作または所定規則に基づいて優先度を設定する設定部を具備し、
前記複数の無線通信装置間において無線通信を利用して前記接続権の移転を行う場合に当該移転の対象となる各無線通信装置に設定されている優先度に基づいて当該移転が行われる
情報処理装置。
（２）  前記情報処理装置は、前記複数の無線通信装置をグループとして管理する情報処理装置であり、
前記複数の無線通信装置間において前記接続権を移転するための移転要求を受け付けた場合には、当該移転要求に係る各無線通信装置に設定されている優先度に基づいて当該各無線通信装置間において前記接続権を移転させるための制御を行う制御部をさらに具備する
前記（１）に記載の情報処理装置。
（３）  前記設定部は、前記複数の無線通信装置を構成する第１の無線通信装置および第２の無線通信装置について前記第１の無線通信装置に設定される優先度よりも低い優先度を前記第２の無線通信装置に設定し、
前記制御部は、前記第１の無線通信装置から前記第２の無線通信装置に前記接続権を移転するための前記移転要求を前記第１の無線通信装置以外の無線通信装置から受け付けた場合には、所定条件を満たす場合にのみ、前記第１の無線通信装置から前記第２の無線通信装置に前記接続権を移転させるための制御を行う
前記（２）に記載の情報処理装置。
（４）  前記制御部は、前記第１の無線通信装置から前記第２の無線通信装置に前記接続権を移転するための前記移転要求に係る移転の承認処理が前記第１の無線通信装置において行われた場合に前記所定条件を満たすと判断する前記（３）に記載の情報処理装置。
（５）  前記設定部は、前記複数の無線通信装置を構成する第１の無線通信装置および第２の無線通信装置について前記第１の無線通信装置に設定される優先度よりも低い優先度を前記第２の無線通信装置に設定し、
前記制御部は、前記第２の無線通信装置から前記第１の無線通信装置に前記接続権を移転するための前記移転要求を受け付けた場合には、前記第２の無線通信装置から前記第１の無線通信装置に前記接続権を移転させるための制御を行う
前記（２）から（４）のいずれかに記載の情報処理装置。
（６）  前記制御部は、前記第２の無線通信装置から前記第１の無線通信装置に前記接続権を移転するための前記移転要求を前記第２の無線通信装置以外の無線通信装置から受け付けた場合には、所定条件を満たす場合にのみ、前記第２の無線通信装置から前記第１の無線通信装置に前記接続権を移転させるための制御を行う前記（５）に記載の情報処理装置。
（７）  前記制御部は、前記第２の無線通信装置から前記第１の無線通信装置に前記接続権を移転するための前記移転要求に係る移転の承認処理が前記第２の無線通信装置において行われた場合と、当該移転要求に係る移転の承認処理が前記第２の無線通信装置において行われず、かつ、当該移転要求に係る移転の承認処理が前記第１の無線通信装置において行われた場合とに前記所定条件を満たすと判断する前記（６）に記載の情報処理装置。
（８）  前記設定部は、前記複数の無線通信装置を構成する第１の無線通信装置および第２の無線通信装置について前記第１の無線通信装置に設定される優先度よりも低い優先度を前記第２の無線通信装置に設定し、
前記制御部は、前記第１の無線通信装置から前記第２の無線通信装置に前記接続権を移転するための前記移転要求を前記第１の無線通信装置から受け付けた場合には、前記第１の無線通信装置から前記第２の無線通信装置に前記接続権を移転させるための制御を行う
前記（２）から（７）のいずれかに記載の情報処理装置。
（９）  前記設定部は、前記複数の無線通信装置毎の優先順位を前記優先度として設定する前記（１）から（８）のいずれかに記載の情報処理装置。
（１０）  前記情報処理装置は、前記複数の無線通信装置をグループとして管理する情報処理装置であり、
前記複数の無線通信装置と前記設定された優先度とを前記無線通信装置毎に関連付けて前記グループ単位で記憶する記憶部をさらに具備する
前記（１）から（９）のいずれかに記載の情報処理装置。
（１１）  前記情報処理装置は、前記無線通信装置であり、
前記複数の無線通信装置間において前記接続権を移転するための前記移転要求をＲＯ（Registration Operator）に対して行う制御部をさらに具備する
前記（１）から（１０）のいずれかに記載の情報処理装置。
（１２）  前記接続権は、通信事業者が運営する基地局に接続するための契約認証情報に基づいて前記基地局に接続する権利である前記（１）から（１１）のいずれかに記載の情報処理装置。
（１３）  無線通信を利用して所定のネットワークに接続するための接続権を共有する複数の無線通信装置についてユーザ操作または所定規則に基づいて優先度を設定する情報処理装置を具備し、
前記複数の無線通信装置間において無線通信を利用して前記接続権の移転を行う場合に当該移転の対象となる各無線通信装置に設定されている優先度に基づいて当該移転が行われる
通信システム。
（１４）  無線通信を利用して所定のネットワークに接続するための接続権を共有する複数の無線通信装置間において無線通信を利用して前記接続権の移転を行うための移転要求を受け付ける受付手順と、
前記移転要求が受け付けられた場合に当該移転要求に係る移転の対象となる各無線通信装置に設定されている優先度に基づいて当該移転を行う制御手順と
を具備する情報処理方法。
【符号の説明】
【０２５０】
１０、１００  通信システム
２１、３１、１２１、１２２、２０６  基地局
４０、１１０  ネットワーク
５０  サービス提供会社
５１  情報処理装置
１２０  通信制御装置（第２通信事業者）
１２５、２１０、３３０  制御部
１３０  第２の無線通信装置
１４０  第３の無線通信装置
１５０  第４の無線通信装置
２００  通信制御装置（第１通信事業者）
２０５  通信部
２２０  グループ管理データベース
２３０  設定部
３００  第１の無線通信装置
３１１  アンテナ
３１２  アンテナ共用部
３２１  変調部
３２２  復調部
３３０  制御部
３３１  バス
３４０  メモリ
３５０  ＭＣＩＭ情報記憶部
３６０  操作部
３７０  表示部
３８０  位置情報取得部
３９１  マイクロフォン
３９２  スピーカ
【図１】
2013081051.tif 000003
【図２】
2013081051.tif 000004
【図３】
2013081051.tif 000005
【図４】
2013081051.tif 000006
【図５】
2013081051.tif 000007
【図６】
2013081051.tif 000008
【図７】
2013081051.tif 000009
【図８】
2013081051.tif 000010
【図９】
2013081051.tif 000011
【図１０】
2013081051.tif 000012
【図１１】
2013081051.tif 000013
【図１２】
2013081051.tif 000014
【図１３】
2013081051.tif 000015
【図１４】
2013081051.tif 000016
【図１５】
2013081051.tif 000017
【図１６】
2013081051.tif 000018
【図１７】
2013081051.tif 000019
【図１８】
2013081051.tif 000020
【図１９】
2013081051.tif 000021
【図２０】
2013081051.tif 000022
【図２１】
2013081051.tif 000023
【図２２】
2013081051.tif 000024
【図２３】
2013081051.tif 000025
【図２４】
2013081051.tif 000026